(57)【特許請求の範囲】
【請求項１】
下記を備える方法：
第１変換結果信号を生成するために、第１所定変換を第１信号に適用すること、
前記第１変換結果信号を、複数の時間および周波数送信資源の第１セットと複数のアンテナの所定の組み合わせを使用して送信すること、
第２信号を、複数のアンテナの前記所定の組み合わせと複数の時間および周波数送信資源の前記第１セットを使用して送信すること、前記第２信号は、該第１変換結果信号を送信する際に使用された少なくとも１つのアンテナで前記第１変換結果信号より低い電力で送信される、
第２変換結果信号を生成するために、第２所定変換を第３信号に適用すること、
前記第２変換結果信号を、複数の時間および周波数送信資源の第２セットと複数のアンテナの前記所定の組み合わせを使用して送信すること、複数の時間および周波数送信資源の前記第２セットは、複数の時間および周波数送信資源の前記第１セットとは異なる。
【請求項２】
前記第１所定変換は、複数のアンテナの前記所定の組み合わせに含まれる少なくとも２つの異なるアンテナのための異なる出力を生成する、請求項１に記載の方法。
【請求項３】
前記第１変換結果信号は、複数の異なるアンテナに対応する複数の異なる部分を含む、請求項１に記載の方法。
【請求項４】
前記所定変換は、複数の異なる変換のセットの多数のうちの１つであり、前記方法は：
第１所定変換を前記適用することの前に、
所定の選択方法にしたがって前記第１所定変換を選択すること
をさらに備える、請求項１に記載の方法。
【請求項５】
前記第１所定変換を適用することは、複数の異なるアンテナに対応する複数の定数を前記第１信号に乗じることを含み、ここにおいて前記複数の異なるアンテナに対応する複数の定数のうちの少なくとも２つは異なる、請求項２に記載の方法。
【請求項６】
前記第１信号は位置変調を使用して情報を通信する、請求項１に記載の方法。
【請求項７】
前記第２変換結果信号は、異なるアンテナ素子に対応する複数の異なる部分を含む、請求項１に記載の方法。
【請求項８】
前記第１および第２所定変換は線形に独立している、請求項１に記載の方法。
【請求項９】
複数の時間および周波数送信資源の前記第２セット上で第４信号を送信すること、
をさらに備える、請求項８に記載の方法。
【請求項１０】
前記第１および第３信号によって通信される情報は、第１ユーザに向けられ、
前記第２および第４信号によって通信される情報は、第２ユーザに向けられる、請求項９に記載の方法。
【請求項１１】
前記第１および第３信号は、複数のユーザの第１セットに向けられ、
前記第２および第４信号は、複数のユーザの該第１セットのサブセットである複数のユーザの第２セットに向けられる、請求項９に記載の方法。
【請求項１２】
複数のユーザの前記第２セットは、前記第２セットのメンバーではない前記第１セット中の該複数のユーザよりも良好なチャネル状態を有する、請求項１１に記載の方法。
【請求項１３】
前記第２信号中の複数の送信信号と前記第１変換結果信号中の複数の非ヌルの送信シンボルとの間の送信電力差は、少なくとも３ｄＢである、請求項１に記載の方法。
【請求項１４】
前記位置変調は、複数の時間および周波数送信資源の該第１セットで利用可能なシンボル送信単位の多くて半分で電力を送信することによって情報を通信する、請求項６に記載の方法。
【請求項１５】
前記第１所定変換は、複数の所定の定数の複素乗数値を使用した固定行列乗算である、請求項１に記載の方法。
【請求項１６】
複数の時間および周波数資源の前記第１および第２セットは非重複である、請求項１に記載の方法。
【請求項１７】
前記第１および第２変換は、それぞれ第１および第２シンボル送信時間期間に送信される第１および第２変換結果信号を生成するために使用され、前記第２シンボル送信時間期間は前記第１シンボル送信時間期間の直ぐ後に続く、請求項１に記載の方法。
【請求項１８】
複数の時間および周波数送信資源の前記第１及び第２セットのうちの該セットは、ＯＦＤＭ通信システムにおける複数の時間および周波数資源の複数のセットである、請求項１７に記載の方法。
【請求項１９】
下記を備える、複数のアンテナ素子を含むアクセスポイントで使用するための装置：
結合信号を生成するために使用される第１変換結果信号を生成するために、第１信号に第１所定変換を適用するための変換モジュール、
結合信号を生成するために前記第１変換結果信号を第２信号と結合するための重ね合わせモジュール、前記第２信号は前記第１信号より低い電力レベルである、および
複数の時間および周波数送信資源の１つのセットで異なるアンテナ素子を使用して前記結合信号の複数の異なる部分の送信を制御するための送信制御モジュール、
ここにおいて、前記変換モジュールは、
第２変換結果信号を生成するために、第２所定変換を第３信号に適用する、
ここにおいて、前記送信制御モジュールは、複数の時間および周波数送信資源の第２セットで異なるアンテナ素子を使用して前記第２変換結果の複数の異なる部分の送信を制御し、複数の時間および周波数資源の前記第２セットは、複数の時間および周波数資源の前記セットとは異なる。
【請求項２０】
前記低い電力レベルは、複数の非ヌルの信号部分に関する１つの送信単位当たりの電力レベルである、請求項１９に記載の装置。
【請求項２１】
前記変換モジュールは、前記複数のアンテナ素子に含まれる少なくとも２つの異なるアンテナ素子のための異なる出力を生成する、請求項１９に記載の装置。
【請求項２２】
前記第１送信結果信号は、異なるアンテナ素子に対応する複数の異なる部分を含む、請求項１９に記載の装置。
【請求項２３】
前記第１所定変換は、複数の異なる変換のセットの多数のうちの１つであり、前記基地局は：
複数の異なる変換を指定する格納された情報、および
前記複数の異なる変換から前記第１変換を選択するための選択モジュール、
をさらに含む、請求項１９に記載の装置。
【請求項２４】
前記変換モジュールは、異なるアンテナ素子に対応する定数を前記第１信号に乗じ、
前記異なるアンテナ素子に対応する複数の定数のうちの少なくとも２つは異なる、請求項２１に記載の装置。
【請求項２５】
下記を更に具備する、請求項１９に記載の装置、
高電力信号生成モジュール、ここにおいて前記高電力信号生成モジュールは下記を含む、
前記高電力信号を生成する際に使用される位置符号化モジュール、前記高電力信号は位置変調を使用して情報を通信する。
【請求項２６】
前記高電力信号生成モジュールは、
非ヌルの高電力ＱＰＳＫ信号を生成するためのＱＰＳＫモジュールをさらに含む、請求項２５に記載の装置。
【請求項２７】
前記高電力信号生成モジュールは前記第１信号を生成する、請求項２５に記載の装置。
【請求項２８】
前記第２変換結果信号は、異なるアンテナ素子に対応する複数の異なる部分を含む、請求項１９に記載の装置。
【請求項２９】
前記第１および第２所定変換は線形に独立である、請求項１９に記載の装置。
【請求項３０】
前記変換制御モジュールはまた、複数の時間および周波数資源の前記第２セットを使用して第４信号の送信を制御する、請求項２９に記載の装置。
【請求項３１】
前記第１および第３信号によって通信された情報は第１ユーザに向けられる、ここにおいて、前記第２および第４信号によって通信された情報は第２ユーザに向けられる、請求項３０に記載の装置。
【請求項３２】
前記第１および第３信号は複数のユーザの第１セットに向けられる、ここにおいて、前記第２および第４信号は複数のユーザの該第１セットの１つのサブセットである複数のユーザの第２セットに向けられる、請求項３０に記載の装置。
【請求項３３】
複数のユーザの前記第２セットは、前記第２セットのメンバーでない前記第１セットの前記複数のユーザよりも良好なチャネル状態を有する、請求項３２に記載の装置。
【請求項３４】
複数の時間および周波数資源の前記セットと複数の時間および周波数資源の第２セットとは非重複である、請求項１９に記載の装置。
【請求項３５】
前記第１および第２変換は、それぞれ第１および第２シンボル送信時間期間に送信される第１および第２変換結果信号を生成するために使用され、前記第２シンボル送信時間期間は前記第１シンボル送信時間期間の直ぐ後に続く、請求項１９に記載の装置。
【請求項３６】
複数の時間および周波数送信資源の第１および第２セットのうちの前記セットは、直交周波数分割多重化（ＯＦＤＭ）の複数の時間および周波数資源の複数のセットであり、該基地局は、
前記送信制御モジュールに応答するＯＦＤＭ送信機をさらに含む、請求項３５に記載の装置。
【請求項３７】
ＯＦＤＭの複数の時間および周波数資源の複数のセットは、複数のＯＦＤＭトーン シンボルの複数のセットである、請求項３６に記載の装置。
【請求項３８】
下記を備える、電磁波を放射するための複数の手段を含むアクセスポイントで使用するための装置：
結合信号を生成するために使用される第１変換結果信号を生成するために第１所定変換を第１信号に適用するための、変換を実施するための手段、
結合信号を生成するために前記第１変換結果信号を第２信号と結合するための、複数の信号を重ね合わせるための手段、前記第２信号は前記第１信号より低い電力レベルを有する、および
複数の時間および周波数送信資源のセットで電磁波を放射するための異なる手段を使用して前記結合信号の複数の異なる部分の送信を制御するための、送信を制御するための手段、
ここにおいて、前記変換を実施するための手段は、第２変換結果信号を生成するために、第２所定変換を第３信号に適用する、
ここにおいて、前記送信を制御するための手段は、複数の時間および周波数送信資源の第２セットで異なるアンテナ素子を使用して前記第２変換結果の複数の異なる部分の送信を制御し、複数の時間および周波数資源の前記第２セットは、複数の時間および周波数資源の前記セットとは異なる。
【請求項３９】
前記低い電力レベルは、複数の非ヌルの信号部分に関する１つの送信単位当たりの電力レベルである、請求項３８に記載の装置。
【請求項４０】
変換を実施するための前記手段は、電磁波を放射するための前記複数の手段に含まれる電磁波を放射するための少なくとも２つの異なる手段のための複数の異なる出力を生成する、請求項３８に記載の装置。
【請求項４１】
前記第１変換結果信号は、電磁波を放射するための異なる手段に対応する複数の異なる部分を含む、請求項３８に記載の装置。
【請求項４２】
前記第１所定変換は、複数の異なる変換のセットの多数のうちの１つであり、前記基地局は：
複数の異なる変換を指定する格納された情報、および
前記複数の異なる変換から前記第１変換を選択するための変換を選択するための手段、をさらに含む、請求項３８に記載の装置。
【請求項４３】
変換を実施するための前記手段は、電磁波を放射するための異なる手段に対応する複数の定数を前記第１信号に乗じる、ここにおいて、電磁波を放射するための異なる手段に対応する前記複数の定数のうちの少なくとも２つは異なる、請求項４０に記載の装置。
【請求項４４】
下記をさらに備える、請求項３８に記載の装置、
高電力信号を生成するための手段、ここにおいて、高電力信号を生成するための前記手段は、下記を含む、
前記高電力信号を生成する際に使用される位置符号化変調を実行するための手段、前記高電力信号は位置変調を使用して情報を通信する。
【請求項４５】
高電力信号を生成するための前記手段は、
非ヌルの高電力ＱＰＳＫ信号を生成するためにＱＰＳＫ変調シンボルを生成するための手段
をさらに備える、請求項４４に記載の装置。
【請求項４６】
下記を備える方法を実施するように装置を制御するための機械実行可能な命令を含むコンピュータ可読記憶媒体：
第１変換結果信号を生成するために第１所定変換を第１信号に適用すること、
複数の時間および周波数送信資源の第１セットと複数のアンテナの所定の組み合わせを使用して前記第１変換結果信号を送信すること、
複数のアンテナの前記所定の組み合わせと複数の時間および周波数送信資源の前記第１セットを使用して第２信号を送信すること、前記第２信号は、前記第１変換結果信号を送信する際に使用された少なくとも１つのアンテナ上で前記第１変換結果信号より低い電力で送信される、
第２変換結果信号を生成するために、第２所定変換を第３信号に適用すること、
前記第２変換結果信号を、複数の時間および周波数送信資源の第２セットと複数のアンテナの前記所定の組み合わせを使用して送信すること、複数の時間および周波数送信資源の前記第２セットは、複数の時間および周波数送信資源の前記第１セットとは異なり、前記第２所定変換は、前記第１所定変換とは異なる。
【請求項４７】
前記第１所定変換は、複数のアンテナの前記所定の組み合わせに含まれる少なくとも２つの異なるアンテナのための複数の異なる出力を生成する、請求項４６に記載のコンピュータ可読記憶媒体。
【請求項４８】
前記第１変換結果信号は、複数の異なるアンテナに対応する複数の異なる部分を含む、請求項４６に記載のコンピュータ可読記憶媒体。
【請求項４９】
前記所定変換は、複数の異なる変換のセットの多数のうちの１つであり、前記コンピュータ可読記憶媒体は、下記を行うための複数の機械実行可能な命令をさらに含む、請求項４６に記載のコンピュータ可読記憶媒体、
第１所定変換を適用する前記工程の前に、所定の選択方法にしたがって前記第１所定変換を選択すること。
【請求項５０】
下記を行うための複数の機械実行可能な命令をさらに含む、請求項４７に記載のコンピュータ可読記憶媒体、
第１所定変換を適用する前記ステップの一部として複数の異なるアンテナに対応する複数の定数を前記第１信号に乗じること、ここにおいて前記複数の異なるアンテナに対応する前記複数の定数のうちの少なくとも２つは異なる。
【請求項５１】
前記第１信号は位置変調を使用して情報を通信する、請求項４６に記載のコンピュータ可読記憶媒体。
【請求項５２】
下記を備える装置、
下記を行うように構成されたプロセッサ、
第１変換結果信号を生成するために第１所定変換を第１信号に適用すること、
複数の時間および周波数送信資源の第１セットと複数のアンテナの所定の組み合わせを使用して前記第１変換結果信号を送信すること、及び
複数のアンテナの前記所定の組み合わせと複数の時間および周波数送信資源の前記第１セットを使用して第２信号を送信すること、前記第２信号は前記第１変換結果信号を送信する際に使用された少なくとも１つのアンテナで前記第１変換結果信号より低い電力で送信される、
第２変換結果信号を生成するために、第２所定変換を第３信号に適用すること、
前記第２変換結果信号を、複数の時間および周波数送信資源の第２セットと複数のアンテナの前記所定の組み合わせを使用して送信すること、複数の時間および周波数送信資源の前記第２セットは、複数の時間および周波数送信資源の前記第１セットとは異なり、前記第２所定変換は、前記第１所定変換とは異なる。
【請求項５３】
前記第１所定変換は、複数のアンテナの前記所定の組み合わせに含まれる少なくとも２つの異なるアンテナのための複数の異なる出力を生成する、請求項５２に記載の装置。
【請求項５４】
前記第１変換結果信号は、複数の異なるアンテナに対応する複数の異なる部分を含む、請求項５２に記載の装置。
【請求項５５】
前記所定変換は複数の異なる変換のセットの多数のうちの１つである、ここにおいて前記プロセッサは下記を行うようにさらに構成される、請求項５２に記載の装置、
第１所定変換を適用する前記ステップの前に、所定の選択方法にしたがって前記第１所定変換を選択すること。
【請求項５６】
前記プロセッサは下記を行うようにさらに構成される、請求項５３に記載の装置、
第１所定変換を適用する前記ステップの一部として複数の異なるアンテナに対応する複数の定数を前記第１信号に乗じること、ここにおいて前記複数の異なるアンテナに対応する前記複数の定数のうちの少なくとも２つは異なる。
【請求項５７】
前記第１信号は位置変調を使用して情報を通信する、請求項５２に記載の装置。
【請求項５８】
下記を備える、無線端末を動作させる方法：
複数の時間および周波数資源の同じセットで第１および第２信号を受信すること、
前記第１信号を復号すること、
チャネル推定を生成するために前記第１信号を使用してチャネル推定動作を実行すること、
前記第２信号に関して復号動作を実行するために前記生成されたチャネル推定を使用すること、
複数の時間および周波数資源の追加のセット上で追加の第１信号を受信すること、
ここにおいて、チャネル推定動作を実行することは、前記チャネル推定を生成するために前記第１信号に加えて、前記追加の第１信号を使用することをさらに含み、
ここにおいて、前記追加の第１信号は、前記第１信号を生成するために使用される変換とは異なる変換を使用して生成される。
【請求項５９】
前記第１信号は位置変調を使用して情報を伝達する、請求項５８に記載の方法。
【請求項６０】
前記第１信号の前記復号することは第１チャネル推定を使用して実行される、ここにおいて、前記生成されたチャネル推定は第２チャネル推定である、請求項５９に記載の方法。
【請求項６１】
前記第２チャネル推定は、前記第１チャネル推定が対応する同じチャネルの改善された推定である、請求項６０に記載の方法。
【請求項６２】
前記第１信号を復号することは、前記第１信号を送信するために使用されたアンテナ組み合わせセットのアプリオリ知識を使用することを含む、請求項５９に記載の方法。
【請求項６３】
前記第１信号を復号することは、前記第１信号を生成する際に使用された前記アンテナ組み合わせに対応する変換のアプリオリ知識を使用することをさらに含む、請求項６２に記載の方法。
【請求項６４】
前記無線端末は複数の受信機を含み、
前記複数の受信機のそれぞれに関して複数の異なるチャネル推定を生成すること
をさらに備える、請求項６２に記載の方法。
【請求項６５】
前記第１および第２信号は直交周波数分割多重化(OFDM)信号である、請求項５９に記載の方法。
【請求項６６】
前記位置変調は、複数の時間および周波数資源の前記セットにおけるエネルギーの配置を使用して情報を通信することを含む、請求項５９に記載の方法。
【請求項６７】
下記を備える無線端末、
複数の時間および周波数資源の同じセットで第１および第２信号を受信するための受信機、
前記第１信号を復号するための第１信号回復モジュール、
前記第１信号を使用してチャネル推定を生成するためのチャネル推定生成モジュール、および
前記第２信号に関して復号動作を実行するために前記生成されたチャネル推定を使用して前記第２信号に関して復号動作を実行するための第２信号回復モジュール、
ここにおいて、前記受信機は、時間および周波数資源の追加のセットで追加の第１信号を受信し、
前記チャネル推定モジュールは前記チャネル推定を生成するために前記第１信号に加えて前記追加の第１信号を使用し、
前記第１回復モジュールは、前記第１受信信号を処理するために第１逆変換を使用し、前記第１追加受信信号を処理するために第２逆変換を使用し、前記第１および第２逆変換は異なる。
【請求項６８】
前記第１信号回復モジュールは、複数の時間および周波数資源の前記セットにおける前記第１信号の高電力変調シンボルの位置を識別するための、および前記識別された高電力変調シンボルの位置により伝達された情報を回復するための位置復号モジュールを含む、請求項６７に記載の無線端末。
【請求項６９】
前記第１信号の前記復号することは第１チャネル推定を使用して実行され、ここにおいて、前記生成されたチャネル推定は第２チャネル推定である、請求項６８に記載の無線端末。
【請求項７０】
前記第２チャネル推定は、前記第１チャネル推定が対応する同じチャネルの改善された推定である、請求項６９に記載の無線端末。
【請求項７１】
下記をさらに具備する、請求項６８に記載の無線端末、
前記無線端末に情報を送信するために使用される複数の異なるアンテナ組み合わせに関する情報を提供する格納されたアンテナ組み合わせ情報、および
ここにおいて、前記第１信号を復号することは前記第１信号を復号するために前記格納されたアンテナ組み合わせ情報を使用することを含む。
【請求項７２】
下記をさらに具備する、請求項７１に記載の無線端末、
複数の異なる送信機アンテナ組み合わせのために使用される複数の異なる変換を示す格納された変換情報。
【請求項７３】
前記無線端末は複数の受信機を含み、前記受信機は前記複数の受信機のうちの１つである、
ここにおいて、前記チャネル推定モジュールは前記複数の受信機のそれぞれに関して複数の異なるチャネル推定を生成する
請求項７１に記載の無線端末。
【請求項７４】
前記第１および第２信号は直交周波数分割多重化(OFDM)信号である、
ここにおいて、前記受信機はＯＦＤＭ受信機である
請求項６８に記載の無線端末。
【請求項７５】
下記を備える無線端末、
複数の時間および周波数資源の同じセットで第１および第２信号を受信するための受信機手段、
前記第１信号を復号するための第１タイプの信号を回復するための手段、
前記第１信号を使用してチャネル推定を生成するためのチャネル推定手段、および
前記第２信号に関して復号動作を実行するために前記生成されたチャネル推定を使用して前記第２信号に関して復号動作を実行するための第２タイプの信号を回復するための手段、
ここにおいて、前記受信機手段は、複数の時間および周波数資源の追加のセット上で追加の第１信号を受信し、
前記チャネル推定手段は、前記チャネル推定を生成するために前記第１信号に加えて前記追加の第１信号を使用し、
第１タイプの信号を回復するための前記手段は前記受信された第１信号を処理するために第１逆変換を使用し、前記受信された追加の第１信号を処理するために第２逆変換を使用し、前記第１および第２逆変換は異なる。
【請求項７６】
第１タイプの信号を回復するための前記手段は、複数の時間および周波数資源の前記セットにおける前記第１信号の高電力変調シンボルの位置を識別するための、および前記識別された高電力変調シンボルの位置によって伝達された情報を回復するための位置復号を実行するための手段を含む、請求項７５に記載の無線端末。
【請求項７７】
前記第１信号の前記復号することは第１チャネル推定を使用して実行される、ここにおいて、前記生成されたチャネル推定は第２チャネル推定である、請求項７６に記載の無線端末。
【請求項７８】
前記第２チャネル推定は、前記第１チャネル推定が対応する同じチャネルの改善された推定である、請求項７７に記載の無線端末。
【請求項７９】
下記をさらに備える、請求項７６に記載の無線端末、
前記無線端末に情報を送信するために使用される複数の異なるアンテナ組み合わせに関する情報を提供するアンテナ組み合わせ情報を格納するための格納手段、
ここにおいて、前記第１信号を復号することは、前記第１信号を復号するために前記格納されたアンテナ組み合わせ情報を使用することを含む。
【請求項８０】
前記格納手段は下記をさらに含む、請求項７９に記載の無線端末、
複数の異なる送信機アンテナ組み合わせのために使用される複数の異なる変換を示す格納された変換情報。
【請求項８１】
下記を備える方法を実施するように無線端末を制御するための機械実行可能な命令を含むコンピュータ可読記憶媒体：
複数の時間および周波数資源の同じセットで第１および第２信号を受信すること、
前記第１信号を復号すること、
チャネル推定を生成するために前記第１信号を使用してチャネル推定動作を実行すること、
前記第２信号に関して復号動作を実行するために前記生成されたチャネル推定を使用すること、
複数の時間および周波数資源の追加のセットで追加の第１信号を受信すること、および
チャネル推定動作を実行する前記ステップの一部として前記チャネル推定を生成するために前記第１信号に加えて、前記追加の第１信号を使用すること、
ここにおいて、前記追加の第１信号は、前記第１信号を生成するために使用される変換とは異なる変換を使用して生成される。
【請求項８２】
前記第１信号は位置変調を使用して情報を伝達する、請求項８１に記載のコンピュータ可読記憶媒体。
【請求項８３】
下記を行うための複数の機械実行可能な命令をさらに含む、請求項８２に記載のコンピュータ可読記憶媒体、
第１チャネル推定を使用して前記第１信号の前記復号することを実行すること、ここにおいて、前記生成されたチャネル推定は第２チャネル推定である。
【請求項８４】
前記第２チャネル推定は、前記第１チャネル推定が対応する同じチャネルの改善された推定である、請求項８３に記載のコンピュータ可読記憶媒体。
【請求項８５】
下記を行うための複数の機械実行可能な命令をさらに含む、請求項８２に記載のコンピュータ可読記憶媒体、
前記第１信号の前記復号することの一部として前記第１信号を送信するために使用されたアンテナ組み合わせセットのアプリオリ知識を使用すること。
【請求項８６】
下記を行うための複数の機械実行可能な命令をさらに含む、請求項８５に記載のコンピュータ可読記憶媒体、
前記第１信号を復号する前記ステップの一部として、前記第１信号を生成する際に使用された前記アンテナ組み合わせに対応する変換のアプリオリ知識を使用すること。
【請求項８７】
下記を備える装置、
下記を行うように構成されたプロセッサ、
複数の時間および周波数資源の同じセットで第１および第２信号を受信すること、
前記第１信号を復号すること、
チャネル推定を生成するために前記第１信号を使用してチャネル推定動作を実行すること、
前記第２信号に関して復号動作を実行するために前記生成されたチャネル推定を使用すること、
複数の時間および周波数資源の追加のセットで追加の第１信号を受信すること、および
チャネル推定動作を実行する前記ステップの一部として前記チャネル推定を生成するために前記第１信号に加えて、前記追加の第１信号を使用すること、
ここにおいて、前記追加の第１信号は、前記第１信号を生成するために使用される変換とは異なる変換を使用して生成される。
【請求項８８】
前記第１信号は位置変調を使用して情報を伝達する、請求項８７に記載の装置。
【請求項８９】
前記プロセッサは下記を行うようにさらに構成される、請求項８８に記載の装置、
第１チャネル推定を使用して前記第１信号の前記復号することを実行すること、ここにおいて前記生成されたチャネル推定は第２チャネル推定である。
【請求項９０】
前記第２チャネル推定は、前記第１チャネル推定が対応する同じチャネルの改善された推定である、請求項８９に記載の装置。
【請求項９１】
前記プロセッサは下記を行うようにさらに構成される、請求項８８に記載の装置、
前記第１信号の前記復号することの一部として前記第１信号を送信するために使用されたアンテナ組み合わせセットのアプリオリ知識を使用すること。
【請求項９２】
前記プロセッサは下記を行うようにさらに構成される、請求項９１に記載の装置、
前記第１信号を復号するステップの一部として、前記第１信号を生成する際に使用された前記アンテナ組み合わせに対応する変換のアプリオリ知識を使用すること。
【請求項９３】
下記を備える、無線通信システムにおける送信方法：
第１変換結果信号を生成するために、第１所定変換を第１信号に適用すること（１１０６）、
前記第１変換結果信号を、複数の時間および周波数送信資源の第１セットと複数のアンテナの所定の組み合わせを使用して、第１無線端末および第２無線端末に送信すること（１１１２）、前記第１変換結果信号は、前記第１無線端末に情報を伝達する、
第２信号を、複数のアンテナの前記所定の組み合わせと複数の時間および周波数送信資源の前記第１セットを使用して前記第２無線端末に送信すること（１１１４）、前記第２信号は、該第１変換結果信号を送信する際に使用された少なくとも１つのアンテナで前記第１変換結果信号より低い電力で送信される、
ここにおいて、前記第１変換結果信号は、また、前記第２信号によって伝達される情報を復号するためのチャネル推定を前記第２無線端末が生成できるようにする、基準信号の役割も果たす。
【請求項９４】
前記第１所定変換は、複数のアンテナの前記所定の組み合わせに含まれる少なくとも２つの異なるアンテナのための異なる出力を生成する、請求項９３に記載の方法。
【請求項９５】
前記第１変換結果信号は、複数の異なるアンテナに対応する複数の異なる部分を含む、請求項９３に記載の方法。
【請求項９６】
前記所定変換は、複数の異なる変換のセットの多数のうちの１つであり、前記方法は：
第１所定変換を前記適用することの前に、
所定の選択方法にしたがって前記第１所定変換を選択すること
をさらに備える、請求項９３に記載の方法。
【請求項９７】
前記第１所定変換を適用すること（１１０６）は、複数の異なるアンテナに対応する複数の定数を前記第１信号に乗じること（１１０８）を含み、ここにおいて前記複数の異なるアンテナに対応する複数の定数のうちの少なくとも２つは異なる、請求項９４に記載の方法。
【請求項９８】
前記第１信号は位置変調を使用して情報を通信する、請求項９３に記載の方法。
【請求項９９】
第２変換結果信号を生成するために、第２所定変換を第３信号に適用すること（１１１８）、および
前記第２変換結果信号を、複数の時間および周波数送信資源の第２セットと複数のアンテナの前記所定の組み合わせを使用して送信すること（１１２４）、複数の時間および周波数送信資源の前記第２セットは、複数の時間および周波数送信資源の前記第１セットと異なる、をさらに備える、請求項９３に記載の方法。
【請求項１００】
前記第２変換結果信号は、異なるアンテナ素子に対応する複数の異なる部分を含む、請求項９９に記載の方法。
【請求項１０１】
前記第１および第２所定変換は線形に独立している、請求項９９に記載の方法。
【請求項１０２】
複数の時間および周波数送信資源の前記第２セット上で第４信号を送信すること、
をさらに備える、請求項１０１に記載の方法。
【請求項１０３】
前記第１および第３信号によって通信される情報は、第１ユーザに向けられ、
前記第２および第４信号によって通信される情報は、第２ユーザに向けられる、請求項１０２に記載の方法。
【請求項１０４】
前記第１および第３信号は、複数のユーザの第１セットに向けられ、
前記第２および第４信号は、複数のユーザの該第１セットのサブセットである複数のユーザの第２セットに向けられる、請求項１０２に記載の方法。
【請求項１０５】
複数のユーザの前記第２セットは、前記第２セットのメンバーではない前記第１セット中の該複数のユーザよりも良好なチャネル状態を有する、請求項１０４に記載の方法。
【請求項１０６】
前記第２信号中の複数の送信信号と前記第１変換結果信号中の複数の非ヌルの送信シンボルとの間の送信電力差は、少なくとも３ｄＢである、請求項９３に記載の方法。
【請求項１０７】
前記位置変調は、複数の時間および周波数送信資源の該第１セットで利用可能なシンボル送信単位の多くて半分で電力を送信することによって情報を通信する、請求項９８に記載の方法。
【請求項１０８】
前記第１所定変換は、複数の所定の定数の複素乗数値を使用した固定行列乗算である、請求項９３に記載の方法。
【請求項１０９】
複数の時間および周波数資源の前記第１および第２セットは非重複である、請求項９９に記載の方法。
【請求項１１０】
前記第１および第２変換は、それぞれ第１および第２シンボル送信時間期間に送信される第１および第２変換結果信号を生成するために使用され、前記第２シンボル送信時間期間は前記第１シンボル送信時間期間の直ぐ後に続く、請求項９９に記載の方法。
【請求項１１１】
複数の時間および周波数送信資源の前記第１及び第２セットのうちの該セットは、ＯＦＤＭ通信システムにおける複数の時間および周波数資源の複数のセットである、請求項１１０に記載の方法。
【請求項１１２】
請求項９３−１１１のいずれか一項に記載の方法を実行するように構成されたプロセッサを備える、無線通信システムにおいて送信するための装置。
【請求項１１３】
プロセッサによって実行されたときに、請求項９３−１１１のいずれか一項に記載の方法を実施するように装置を制御する、機械実行可能な複数の命令を組み込んだコンピュータ可読記憶媒体。
【請求項１１４】
下記を備える、無線端末を動作させる方法：
複数の時間および周波数資源の同じセットで第１および第２信号を受信すること（１２０４）、ここにおいて、前記第１信号は、第１所定変換による変換された信号であり、前記第１および第２信号は、複数のアンテナの同じ所定の組合せを使用して送信されており、前記第２信号は、前記第１信号を送信する際に使用された少なくとも１つのアンテナで前記第１信号よりも低い電力で送信される、
前記第１信号を復号すること（１２０６）、
チャネル推定を生成するために前記第１信号を使用してチャネル推定動作を実行すること（１２０８）、および
前記第２信号に関して復号動作を実行するために前記生成されたチャネル推定を使用すること（１２１０）。
【請求項１１５】
下記を備える無線端末、
複数の時間および周波数資源の同じセットで第１および第２信号を受信するための受信機手段、ここにおいて、前記第１信号は、第１所定変換による変換された信号であり、前記第１および第２信号は、複数のアンテナの同じ所定の組合せを使用して送信されており、前記第２信号は、前記第１信号を送信する際に使用された少なくとも１つのアンテナで前記第１信号よりも低い電力で送信される、
前記第１信号を復号するための第１タイプの信号を回復するための手段、
前記第１信号を使用してチャネル推定を生成するためのチャネル推定手段、および
前記第２信号に関して復号動作を実行するために前記生成されたチャネル推定を使用して前記第２信号に関して復号動作を実行するための第２タイプの信号を回復するための手段。
【請求項１１６】
プロセッサによって実行されたときに、請求項１１４の方法を実施するように無線端末を制御する、機械実行可能な複数の命令を組み込んだコンピュータ可読記憶媒体。
【発明の詳細な説明】
【関連出願】
【０００１】
本出願は、本出願の譲渡人に譲渡され本明細書において特に参考文献とされている２００７年５月２９日に出願された米国仮特許出願第６０／９４０，６６０号に基づいて優先権を主張する。
【技術分野】
【０００２】
本発明は無線通信方法および装置に関し、具体的には、マルチプル送信アンテナ素子（multiple transmit antenna elements）を有する通信デバイスを含む無線通信システム内のエアリンク資源(air link resources)の利用(utilization)を改善するための方法および装置に関する。
【背景技術】
【０００３】
ＭＩＭＯを用いた８０２．２０規格などの、ブロックホップされた(hopped)ＯＦＤＭでは、複数のサポートパイロットがしばしば埋め込まれる。チャネルの粗く弱いサンプリングは、性能の損失になる。これとは別に、重ね合わせ(superposition)符号化(coding)により容量を増やすことができることが知られている。新規の方法および装置が無線システムの容量を増やすことができるならば、それは有益であろう。
【発明の概要】
【０００４】
様々な実施形態は、複数のマルチプル送信アンテナ素子を有する、例えば基地局等の、通信デバイスを含む無線通信システム内の複数のエアリンク資源の利用を改善するための方法および装置に関する。様々な実施形態では、基地局は、複数の送信アンテナ素子を同時に使用し、またダウンリンクでは重ね合わせシグナリング(superposition signaling)を用いている。様々な新規の特徴は、ＭＩＭＯを実装する無線通信システムに特によく適しているが、しかしながら、多くの特徴はまた、複数の非ＭＩＭＯ構成で実装される場合に有益である。
【０００５】
いくつかの実施形態では、基地局は、例えばＯＦＤＭトーンシンボル(tone-symbols)のセット等の、複数の時間周波数資源のセットにより複数のアンテナ素子を使用して、重ね合わせられダウンリンク信号を送信する。信号の送信先である無線端末は、単一の受信アンテナ素子またはマルチプルの受信アンテナ素子を使用することができる。重ね合わせられ送信された信号は、第１変換結果信号と第２信号とを含む。第１変換結果信号は高電力信号であり、第２信号は低電力信号である。例えば非ヌル(non-null)の高電力ＱＰＳＫ変調シンボル(symbols)と複数のヌル(nulls)との混合等の、位置符号化された信号(position coded signal)である、第１信号は、第１変換結果信号を生成するために複数の所定の変換のうちの１つにかけられる。当該変換の異なる複数の要素(elements)は、異なる複数の送信アンテナ素子に対応する異なる複数の複素定数である。いくつかの実施形態では、当該異なる複数の複素定数は、さまざまな量の位相偏移(phase shift)を表す。第１変換結果信号の異なる複数の部分は、異なる複数の送信アンテナ素子に対応しており、またそれら複数の送信アンテナ素子上で出力される。
【０００６】
第１信号情報が通信されている第１無線端末、例えば劣った(inferior)受信機は、高電力の第１変換結果信号を受信し、当該信号を復号し、通信されている情報を回復する。第２信号情報が通信されている第２無線端末、例えば優れた(superior)受信機は、該受信された第１変換結果信号を処理してチャネル推定を決定する際または進行中の(ongoing)チャネル推定をさらに正確なものにする(refining)際に第１変換結果信号の高電力の非ヌルの成分をパイロットとして利用することができる。得られたチャネル推定は、次いで、該第２信号に対応した通信されている受信されたシンボルの復調において第２無線端末により利用されることができる。したがって、様々な実施形態にしたがって、エアリンク資源を共有し、優れた受信機に複数のパイロットを提供し、同時に劣ったユーザに情報を送信することにより、容量が増やされる。
【０００７】
様々な実施形態では、第１変換結果信号の生成に使用される変換は、基地局と無線端末の両方がに知られている所定のパターンに従って、例えば１つのＯＦＤＭシンボル送信時間間隔から次のＯＦＤＭシンボル送信時間間隔へと変えられる。いくつかのそのような実施形態では、利用されるさまざまな変換のうちの少なくともいくつかは、互いに線形に独立している。
【０００８】
様々な実施形態による基地局を動作させる例示的な方法は、第１変換結果信号を生成するために、第１所定変換を第１信号に適用すること、複数の時間および周波数送信資源の第１セットと複数のアンテナの所定の組み合わせを使用して前記第１変換結果信号を送信すること、および複数のアンテナの前記所定の組み合わせと複数の時間および周波数送信資源の前記第１セットを使用して第２信号を送信することであって、前記第２信号は、第１変換結果信号を送信する際に使用された少なくとも１つのアンテナで前記第１変換結果信号より低い電力で送信されることを備える。様々な実施形態による例示的な基地局は、複数のアンテナ素子と、結合信号(combined signal)を生成するために使用される第１変換結果信号を生成するために第１信号に第１所定変換を適用するための変換モジュールと、結合信号を生成するために前記第１変換結果信号を第２信号と結合するための重ね合わせモジュール(superposition module)と、前記第２信号は前記第１信号より低い電力レベルを有する、及び複数の時間および周波数資源のセットで複数の異なるアンテナ素子を使用して前記結合信号の複数の異なる部分の送信を制御するための送信制御モジュールとを備える。
【０００９】
無線端末を動作させる例示的な方法は、複数の時間および周波数資源の同じセットで第１および第２信号を受信すること、前記第１信号を復号すること、チャネル推定を生成するために前記第１信号を使用してチャネル推定動作を実行すること、および前記第２信号に関して復号動作を実行するために前記生成されたチャネル推定を使用することを含む。様々な実施形態による例示的な無線端末は、複数の時間および周波数資源の同じセットで第１および第２信号を受信するための受信機と、前記第１信号を復号するための第１信号回復モジュールと、前記第１信号を使用してチャネル推定を生成するためのチャネル推定生成モジュールと、該第２信号に関する復号動作を実行するために該生成されたチャネル推定を使用して前記第２信号に関する復号動作を実行するための第２信号回復モジュールとを含む。
【００１０】
上記の「発明の概要」で様々な実施形態を説明したが、必ずしもすべての実施形態が同じ特徴を含んでいるわけではなく、またいくつかの実施形態では上記の特徴のうちのいくつかは必須ではないが、望ましいものであることができることを理解されたい。多くの追加的な特徴、実施形態、および利点を以下で詳細に説明する。
【図面の簡単な説明】
【００１１】
【図１】様々な実施形態による例示的な無線通信システムの図。
【図２】様々な実施形態により実施される例示的な基地局の図。
【図３】様々な実施形態にしたがって実施される、例えば移動ノード(mobile node)等の、例示的な無線端末を示す図。
【図４】様々な実施形態によるマルチプルアンテナ（multiple antennas）を利用した例示的な重ね合わせシグナリングを示す図。
【図５】様々な実施形態によるマルチプルアンテナを利用した例示的な信号変換およびシグナリングを示す図。
【図６】様々な実施形態によるマルチプルアンテナを利用した例示的な信号変換およびシグナリングを示す図。
【図７】マルチプルアンテナを利用した例示的な重ね合わせシグナリングを示す図。
【図８】様々な実施形態によるマルチプルアンテナを利用した例示的な信号変換およびシグナリングを示す図。
【図９】様々な実施形態によるマルチプルアンテナを利用した例示的な信号変換およびシグナリングを示す図。
【図１０】マルチプルアンテナを利用した例示的な重ね合わせシグナリングを示す図。
【図１１】様々な実施形態による、例えば基地局等の、装置を動作させる例示的な方法のフローチャート。
【図１２】様々な実施形態による無線端末を動作させる例示的な方法のフローチャート。
【図１３】様々な実施形態による例示的な無線通信システムの図。
【発明を実施するための形態】
【００１２】
図１は、様々な実施形態による例示的な無線通信システム１００の図である。例示的な無線通信システム１００は、例えば、マルチプル送信アンテナ素子を使用し、ダウンリンクでの重ね合わせシグナリングをサポートする基地局を含むマルチプルアクセス直交周波数分割多重（multiple access orthogonal frequency division multiplexing）（ＯＦＤＭ）の無線通信システムである。様々な新規に実施された方法は、チャネル推定を容易にする。
【００１３】
例示的な無線通信システム１００は、複数の基地局（基地局１  １０２、・・・、基地局Ｎ  １０４）を含み、各基地局は対応する無線カバレージエリア（セル１  １１４、・・・、セルＮ  １１６）をそれぞれ有する。いくつかの実施形態では、マルチセクタ基地局も使用される。基地局（１０２、１０４）は、それぞれネットワークリンク（１０８、１１０）を介して、ルータなどのネットワークノード１０６に結合されている。ネットワークノード１０６は、ネットワークリンク１１２を介して、例えば他のルータ、基地局、ＡＡＡノード、ホームエージェント(home agent)ノードなどの他のネットワークノード、および／またはインターネットに結合されている。ネットワークリンク（１０８、１１０、１１２）は、例えば光ファイバーリンクである。
【００１４】
システム１００はまた、複数の無線端末も含む。該無線端末の少なくともいくつかは、システム１００を通過することのできる移動ノードである。（ＷＴ  １  １１８、・・・、ＷＴ  Ｎ  １２０）は、現在、それぞれ無線リンク（１２２、・・・、１２４）を介して基地局１  １０２に結合されている。（ＷＴ  １’  １２６、・・・、ＷＴ  Ｎ’  １２８）は、現在、それぞれ無線リンク（１３０、・・・、１３２）を介して基地局Ｎ  １０４に結合されている。図１に示すように、ＷＴｓ（１１８、１２０、１２６、１２８）は、マルチプルアンテナ素子（multiple antenna elements）を含み、ＭＩＭＯアンテナ構成を使用して基地局との通信をサポートする。いくつかの実施形態では、少なくともいくつかの無線端末またはいくつかの基地局に関しては、信号を送受信するために同じアンテナが使用される。いくつかの実施形態では、少なくともいくつかの無線端末またはいくつかの基地局に関しては、信号を送受信するためにさまざまなアンテナが使用される。様々な実施形態は、マルチプル送信アンテナを有する基地局と、マルチプル受信アンテナ（multiple receive antennas）を有する無線端末とを含む。いくつかの実施形態は、マルチプル送信アンテナ（multiple transmit antennas）を有する基地局と、単一受信アンテナを使用する無線端末とを含む。いくつかの実施形態は、マルチプル送信アンテナを有する基地局と、あるものが単一の受信アンテナを有し、他のものが複数の受信アンテナを有する無線端末の混合とを含む。いくつかの実施形態は、マルチプル送信アンテナ素子を有するスタンドアロン(standalone)基地局と、複数の無線端末とを含む。
【００１５】
図１３は、様々な実施形態による、例示的な無線通信システム１３００の図である。例示的な無線通信システム１３００は、例えば、マルチプル送信アンテナ素子を使用し、ダウンリンクでの重ね合わせシグナリングをサポートする基地局を含むダウンリンクブロードキャスト直交周波数分割多重（ＯＦＤＭ）の無線通信システムである。様々な新規に実施された方法は、チャネル推定を容易にする。
【００１６】
例示的な無線通信システム１３００は、複数の基地局（基地局１  １３０２、・・・、基地局Ｎ  １３０４）を含み、各基地局は対応する無線カバレージエリア（セル１  １３１４、・・・、セルＮ  １３１６）をそれぞれ有する。いくつかの実施形態では、マルチセクタ(multi-sector)基地局もまた使用される。基地局（１３０２、１３０４）は、それぞれネットワークリンク（１３０８、１３１０）を介して、ルータなどのネットワークノード１３０６に結合されている。ネットワークノード１３０６は、ネットワークリンク１３１２を介して、他のルータ、コンテントプロバイダノード、基地局、ＡＡＡノードなどの他のネットワークノード、および／またはインターネットに結合されている。ネットワークリンク（１３０８、１３１０、１３１２）は、例えば光ファイバーリンクである。
【００１７】
システム１３００はまた、複数の無線端末も含む。該無線端末のうちの少なくともいくつかは、システム１３００を通過することのできる移動ノードである。（ＷＴ  １  １３１８、・・・、ＷＴ  Ｎ  １３２０）は、現在、それぞれ、無線ダウンリンクリンク（１３２２、・・・、１３２４）を介して基地局１  １３０２に結合されている。（ＷＴ  １’  １３２６、・・・、ＷＴ  Ｎ’  １３２８）は、現在、それぞれ、無線ダウンリンクリンク（１３３０、・・・、１３３２）を介して基地局Ｎ  １３０４に結合されている。図１３に示すように、ＷＴｓ（１３１８、１３２０、１３２６、１３２８）は、マルチプルアンテナ素子を含み、ＭＩＭＯアンテナ構成を使用して該基地局との通信をサポートする。様々な実施形態は、マルチプル送信アンテナを有する基地局と、マルチプル受信アンテナを有する無線端末とを含む。いくつかの実施形態は、マルチプル送信アンテナを有する基地局と、単一の受信アンテナを使用する無線端末とを含む。いくつかの実施形態は、マルチプル送信アンテナを有する基地局と、あるものが単一の受信アンテナを有し、他のものが複数の受信アンテナを有する無線端末の混合とを含む。いくつかの実施形態は、マルチプル送信アンテナ素子を有するスタンドアロン基地局と、複数の無線端末とを含む。
【００１８】
図２は、様々な実施形態により実施される例示的な基地局２００の図である。基地局２００は、例えば図１のシステム１００または図１３のシステム１３００の複数の基地局の１つである。基地局２００は、ある種のアクセスノードの一例である。例示的な基地局２００は、複数の送信アンテナ素子を含み、重ね合わせダウンリンク シグナリングをサポートする。例示的な基地局２００は、様々な素子がデータおよび情報を交換することができるバス２１２を介して互いに結合された送信モジュール２０２、プロセッサ２０６、Ｉ／Ｏインターフェース２０８、およびメモリ２１０を含む。例えば基地局がアップリンク シグナリングもサポートするいくつかの実施形態等の、いくつかの実施形態では、基地局は受信機モジュール２０４を含み、それはまたバス２１２に結合されている。例えば基地局２００が複数のユーザの複数のセットにダウンリンク信号をブロードキャストするいくつかの実施形態等の、いくつかの実施形態では、基地局は無線端末からアップリンク信号を受信せず、受信機モジュール２０４を含まない。
【００１９】
例えば送信制御モジュール２２６に応答するＯＦＤＭ送信機等の、送信モジュール２０２は、複数の送信アンテナ素子（送信アンテナ素子１  ２０１、送信アンテナ素子２  ２０３、・・・、送信アンテナ素子Ｋ  ２０５）に結合され、これらを介して基地局２００はダウンリンク信号を無線端末に送信する。送信モジュール２０２は、例えば高電力の信号と低電力の信号等の、重ね合わせられた(superposed)信号を含むダウンリンク信号を、同じエアリンク資源を使用して送信する。
【００２０】
受信機モジュール２０４、例えばＯＦＤＭ受信機は受信アンテナ２０７に結合されており、これを介して基地局２００は無線端末からアップリンク信号を受信する。アップリンク信号は、例えばチャネル状態(channel condition)情報を含むフィードバック報告を含む。いくつかの実施形態では、基地局２００は、送受信のために同じ１つまたは複数のアンテナを使用する。
【００２１】
Ｉ／Ｏインターフェース２０８は、基地局２００を他の複数のネットワークノード、例えば、他の複数の基地局、複数のルータ、複数のＡＡＡノード、複数のコンテントサーバノード、複数のホームエージェント(home agent)ノードなど、および／またはインターネットに結合する。Ｉ／Ｏインターフェース２０８は、該基地局２００をバックホール(backhaul)ネットワークに結合し、該バックホールネットワークは、基地局２００をそのネットワーク接続点(point of network attachment)として使用する無線端末が、別の基地局をそのネットワーク接続点として使用するピア(peer)ノードと通信することを可能にする。
【００２２】
メモリ２１０は、複数のルーチン２１４とデータ／情報２１６とを含む。プロセッサ２０６、例えばＣＰＵは、該複数のルーチン２１４を実行し、またメモリ２１０内のデータ／情報２１６を使用して基地局２００の動作を制御し複数のメソッド(methods)を実施する。
【００２３】
複数のルーチン２１４は、高電力の信号生成モジュール２１８、変換モジュール２２０、低電力の信号生成モジュール２２２、重ね合わせ(superposition)モジュール２２４、送信制御モジュール２２６、選択モジュール２２８、およびスケジューリング(scheduling)モジュール２３０を含む。いくつかの実施形態、例えば受信機モジュール２０４を含むいくつかの実施形態では、複数のルーチン２１４はチャネル状態決定モジュール２３２を含む。
【００２４】
高電力の信号生成モジュール２１８は、位置符号化(position coding)モジュール２１９とＱＰＳＫモジュール２２１とを含む。高電力の信号生成モジュール２１８は、送信される比較的高電力の信号を生成し、該生成された信号は位置符号化およびＱＰＳＫ変調を使用して情報を伝達する。位置符号化モジュール２１９は、例えば複数のトーンシンボル(tone-symbols)等の複数のエアリンク資源単位(units)が複数の非ヌルの(non-null)ＱＰＳＫ変調シンボルを伝達し、及び例えば複数のトーンシンボル等の複数のエアリンク資源が例えばトーンシンボルのセット等のエアリンク資源のセット及び生成された高電力の信号に関するヌルの(null)複数の変調シンボルを伝達する、宛先(destination)によって情報を符号化する。ＱＰＳＫモジュール２２１は、例えばトーンシンボルのセット等のエアリンク資源の該セット及び該生成された高電力の信号に関して非ヌルである（複数の）ＱＰＳＫ変調シンボルの（複数の）値によって情報を符号化する。
【００２５】
変換モジュール２２０は、複数の乗算器モジュール（乗算器モジュール１  ２３３、・・・、乗算器モジュールｎ  ２２５）を含む。他の実施形態では、変換モジュール２２０は、時分割される(time shared)単一の乗算器モジュールを含む。変換モジュール２２０は、変換結果信号を生成するために信号に所定変換を適用する。例えば、変換モジュール２２０は、第１変換結果信号を生成するために、例えば第１の高電力の信号等の第１信号に第１所定変換を適用し、該第１変換結果信号は送信される結合信号を生成するために使用される。この例を続けて述べると、変換モジュール２２０はまた、第２変換結果信号を生成するために、例えば別の高電力の信号等の第３信号に第２所定変換を適用する。
【００２６】
変換モジュール２２０は、前記複数のアンテナ素子に含まれる少なくとも２つの異なるアンテナ素子のために異なる出力を生成する。例えば、第１変換結果信号は、第１アンテナ素子に対応する第１部分と第２アンテナ素子に対応する第２非重複(non-overlapping)部分とを含む。
【００２７】
変換モジュール２２０は、１つまたはそれより多くの乗算器モジュール（２２３、・・・、２２５）を使用して、複数の異なるアンテナ素子に対応する複数の定数を第１信号に乗じ、ここにおいて複数の異なるアンテナ素子に対応する複数の異なる定数のうちの少なくとも２つは異なる。
【００２８】
したがって、第１変換結果信号は、複数の異なるアンテナ素子に対応する複数の異なる部分を含む。変換モジュール２２０はまた、１つまたはそれより多くの乗算器モジュール（２２３、・・・、２２５）を使用して、複数の異なるアンテナ素子に対応する複数の定数を第３信号に乗じ、ここにおいて複数の異なるアンテナ素子に対応する複数の異なる定数のうちの少なくとも２つは、第２変換結果信号を生成するために異なる。したがって、第２変換結果信号は、複数の異なるアンテナ素子に対応する複数の異なる部分を含む。
【００２９】
様々な実施形態では、第１変換結果信号を生成するために変換モジュール２２０によって第１所定変換が使用され、第２変換結果信号を生成するために変換モジュール２２０によって第２変換が使用され、これらは線形に独立している。
【００３０】
低電力の信号生成モジュール２２２は、送信される比較的低電力の信号を生成する。該生成された低電力の信号は、高電力の変換結果信号に重ね合わせられることができ、また、時々重ね合わせられる。該生成された低電力の信号は、複数の個別の成分を有する、例えばＱＰＳＫ、ＱＡＭ  １６、ＱＡＭ  ６４、ＱＡＭ  ２５６タイプの信号等の、例えば従来のＱＡＭ信号等であり、または複数の個別の成分を有する例えば８ＰＳＫ信号等、例えば、従来のＰＳＫ信号等である。
【００３１】
重ね合わせモジュール２２４は変換結果信号を別の信号と結合して結合信号を生成し、該別の信号は該変換結果信号よりも低い電力レベルを有する。例えば、重ね合わせモジュール２２４は、第１高電力信号に関して動作する変換モジュール２２２の出力である第１変換結果信号を、低電力の信号である第２信号と結合し、該第２信号は低電力信号生成モジュール２２２の出力である。
【００３２】
いくつかの実施形態では、低電力レベルは、複数の非ヌルの信号部分に関する１つの送信単位当たりの電力レベル(per transmission unit power level)である。例えば、いくつかの実施形態では、特定のＯＦＤＭトーンシンボルスロットに指定された非ヌルの変換結果の第１信号の変調シンボルは、同じアンテナ素子を使用して同じＯＦＤＭトーンシンボルスロットにより伝送されるよう指定された第２信号の変調シンボルより高い電力レベルを有する。別の例として、いくつかの実施形態においては、送信単位当たりのベースで(on a per transmission unit basis)、第１平均電力レベル値が第１変換結果信号の非ヌルの成分に関して決定され、第２平均電力レベル値が第２信号の非ヌルの成分に関して決定される場合、第２の値は第１の値よりも低い。いくつかの実施形態では、この差は少なくとも３ｄＢである。
【００３３】
送信制御モジュール２２６は、複数の時間周波数資源のセットに関して複数の異なるアンテナ素子を使用して結合信号の複数の異なる部分の送信を制御する。例えば、結合信号は、複数の異なるアンテナ素子のそれぞれに対応する非重複部分を含むことができる。例えば、１つの結合信号を送信するために使用される複数のエアリンク資源は複数のＯＦＤＭトーンシンボルのセットであると考え、該結合信号を送信するために３つの送信アンテナ素子が使用されると考えると、該結合信号は３つの非重複部分を含み、１つの非重複部分が各アンテナ素子に関連付けられる。さらに複数のＯＦＤＭトーンシンボルの該セットは４つのＯＦＤＭトーンシンボルのセットであると考えると、１つのアンテナ素子に関連付けられた該結合信号の各非重複部分に関して４つの要素(elements)があり、ＯＦＤＭトーンシンボルにつき１つの要素が送信される。このような結合信号中には、１２の要素が存在する。
【００３４】
送信制御モジュール２２６はまた、複数の時間および周波数資源の第２セットに関して複数の異なるアンテナ素子を使用して第２変換結果信号の複数の異なる部分の送信を制御し、複数の時間および周波数資源の前記第２セットは、第１変換結果信号を含む結合信号を送信するために使用された複数の時間周波数資源の前記セットとは異なる。このようないくつかの実施形態では、該第１変換結果信号を伝送するために使用されることと関連付けられた、複数の時間周波数資源の該第１セットは、該第２変換結果信号を伝送するために使用されることと関連付けられた、複数の時間周波数資源の該第２セットと重複しない。
【００３５】
選択モジュール２２８は、複数のエアリンク資源の特定のセットについて使用すべき変換を、複数の異なる変換から選択する。例えば、複数のエアリンク資源の第１セットに対応して、選択モジュール２２８は、第１変換、例えば変換１  ２４０を、変換情報の格納された(stored)複数のセット２３４から選択する。次いで、変換モジュール２２０は、該選択された第１変換を使用して、該第１高電力信号を処理し、第１変換結果信号を生成する。変換モジュール２２０の処理には、いくつかの実施形態では、複数の高電力信号要素と複数の複素数定数との乗算が含まれる。この例を続けて述べると、複数のエアリンク資源の第２セットに対応して、該第１および第２セットは非重複であり、選択モジュール２２８は、第２変換、例えば変換Ｎ  ２４２を、変換情報の格納された複数のセット２３４から選択する。
【００３６】
スケジューリング(scheduling)モジュール２３０は、いくつかの実施形態では、複数のユーザおよび／または複数のユーザの複数のセットを、例えば、複数のダウンリンクセグメントおよび／または複数のアップリンクセグメント等の複数のエアリンク資源の複数のセットにスケジュールする(schedules)。スケジューリングモジュール２３０の複数の動作には、重ね合わせられたダウンリンク信号に関してどのユーザが低電力信号を受信し使用するようにスケジュールされているか、およびどのユーザが高電力の信号を受信するようスケジュールされるかを、判断することが含まれる。スケジューリングモジュール２３０は、いくつかの実施形態では、高電力の信号および低電力の信号で通信されるように複数の異なるタイプの情報をスケジュールする。
【００３７】
チャネル状態決定モジュール２３２は、当該基地局を接続点として使用して複数の異なる無線端末に対応する複数のチャネル状態を決定する。チャネル状態決定モジュール２３２は、例えば複数のＳＮＲ報告、複数のＳＩＲ報告、複数の雑音報告、チャネル推定ベクトル情報等の、チャネル状態情報を伝える複数の無線端末からの複数のフィードバック報告を処理する。チャネル状態決定モジュール２３２の複数の結果は、どの無線端末が高電力信号を受信することになり、どれが低電力信号を受信することになるかを判断する際に、スケジューリングモジュール２３０によって使用される。
【００３８】
データ／情報２１６は、変換情報２３４、無線端末データ／情報２３６、およびタイミング／周波数構造情報２３８を含む。変換情報２３４は、複数の異なる変換（変換１情報２４０、・・・、変換Ｎ情報２４２）を含む。様々な実施形態では、複数の異なる変換のいくつかは線形に独立している。いくつかの実施形態では、複数の異なる変換のそれぞれは、線形に独立している。変換１情報２４０は、例えば１つの行列を規定する複数の複素定数の１つの所定のセットである。いくつかの実施形態では、複数の複素定数の該所定のセットは、適用される位相偏移の異なる量を規定する。
【００３９】
いくつかの実施形態では、第１および第２変換は、それぞれ、第１および第２シンボル送信時間間隔で送信される第１および第２変換結果信号を生成するために使用され、前記第２シンボル送信時間間隔は前記第１シンボル送信時間間隔の直後に続く。
【００４０】
ＷＴデータ／情報２３６は、基地局からの情報（ＷＴ  １データ／情報２４４、・・・、ＷＴ  Ｎデータ／情報２４６）を受信する複数の異なる無線端末に対応するデータ／情報の複数のセットを含む。タイミング周波数構造情報２３８は、ダウンリンクシグナリングに使用される複数のエアリンク資源の複数のセットに関する情報（エアリンク資源セット１情報２４８、・・・、エアリンク資源セットＭ情報２５０）を含む。複数のエアリンク資源のセットは、例えば、複数のＯＦＤＭトーンシンボルのセットである。複数のＯＦＤＭシンボルの該セットは、例えば、ダウンリンクセグメントまたはダウンリンクセグメントの部分であり、そこで結合信号は送信される。複数のエアリンク資源の該セットは、該結合信号を通信する際に複数の異なる送信アンテナ素子によって同時に使用される。
【００４１】
いくつかの実施形態では、例えば位置符号化を使用する高電力信号等の、第１および第３信号は複数のユーザの第１セットに向けられ、例えば従来のＱＡＭ方式を使用する低電力信号等の、第２および第４信号は、複数のユーザの第１セットのサブセットである複数のユーザの第２セットに向けられる。このようないくつかの実施形態では、第２セットのユーザは、第１セットのユーザより良好なチャネル状態を有する。例えば、本実施形態は、第１、第２、第３、および第４信号がブロードキャスト・ダウンリンク信号である一実施形態であることができる。
【００４２】
図３は、様々な実施形態により実施される、例えば移動ノード等の、例示的な無線端末３００の図である。無線端末３００は、例えば、図１のシステム１００または図１３のシステム１３００の複数の無線端末のうちの１つである。例示的な無線端末３００は、様々な素子がデータおよび情報を交換し得るバス３１４を介して互いに結合されたメモリ３１２、複数のユーザＩ／Ｏデバイス３１０、プロセッサ３０８、受信機モジュール３０２を含む。いくつかの実施形態では、無線端末３００は、受信機Ｋモジュール３０４のような１つまたはそれより多くの追加の受信機モジュールを含む。いくつかの実施形態では、無線端末３００は、基地局に複数のアップリンク信号を送信するために送信機モジュール３０６を含む。いくつかの他の実施形態では、該無線端末は無線送信機モジュールを含まず、該無線端末は、例えば、複数のブロードキャストプログラム等の、複数のブロードキャスト・ダウンリンク信号を受信するように機能する。
【００４３】
受信機１モジュール３０２、例えばＯＦＤＭ受信機は、受信アンテナ１  ３０１に結合され、これを介して該無線端末は、例えば複数のＯＦＤＭダウンリンク信号等の複数のダウンリンク信号を基地局から受信する。該受信されたダウンリンク信号のうちの少なくともいくつかは複数の重ね合わせられた信号であり、該受信された複数のダウンリンク信号のうちの少なくともいくつかは無線端末３００に複数の信号を送るために複数の同じエアリンク資源を同時に使用するマルチプル送信アンテナ素子を使用して基地局によって送信されたものである。例えば、１つの高電力信号と１つの低電力信号を含む１つの重ね合わせられた信号は、マルチプル送信アンテナ素子および同じ複数のエアリンク資源を使用して基地局２００により送信され、高電力信号と低電力信号のうちの一方は該無線端末にデータを通信することを意図されている。都合のよいことに、該基地局２００は、高電力信号の生成に関しては複数のエアリンク資源の別のセットに関しては複数の異なる変換を使用し、これは、該重ね合わせられた信号の高電力信号と低電力信号のどちらが特定の無線端末３００にデータを通信しているかに関わらず、無線端末３００によるチャネル推定を容易にする。
【００４４】
したがって、受信機１モジュール３０２は、例えばダウンリンクセグメントまたはダウンリンクセグメントの一部分を備えた複数のＯＦＤＭトーンシンボルのセット等の、複数の時間周波数資源の同じセットで第１および第２信号を受信する。受信機１モジュール３０２はまた、複数の時間および周波数資源の追加のセットで追加の第１信号を受信する。
【００４５】
受信機Ｋモジュール３０４、例えば追加ＯＦＤＭ受信機はアンテナＫ  ３０３に結合され、これを介して無線端末は基地局からダウンリンク信号を受信する。無線端末３００は、複数の受信機モジュールと受信機アンテナとを実装している場合、例えば基地局２００と協力して(in cooperation with)、ＭＩＭＯアンテナ通信モードで機能することができ、また、実時々機能する。
【００４６】
例えばＯＦＤＭ送信機等の送信機モジュール３０６は送信アンテナ３０５に結合され、これを介して該無線端末３００は複数の基地局に複数のアップリンク信号を送信する。複数のアップリンク信号は、例えば複数のチャネル推定報告、複数の雑音報告、ＳＮＲおよび／またはＳＩＲの複数のフィードバック報告等の、複数のチャネル状態報告を含む。いくつかの実施形態では、送受信のために無線端末３００により同じ１つまたは複数のアンテナが使用される。
【００４７】
複数のユーザＩ／Ｏデバイス３１０は、マイクロフォン、スピーカー、キーボード、キーパッド、複数のスイッチ、カメラ、ディスプレイなどを含む。複数のユーザＩ／Ｏデバイス３１０は、オペレータがユーザのデータ／情報を入力し、出力データ／情報にアクセスし、及び／または無線端末３００の少なくともいくつかの機能を制御し、例えば通信セッションを開始し、ブロードキャストプログラムを選択すること等を可能にする。
【００４８】
メモリ３１２は、複数のルーチン３１６とデータ／情報３１８とを含む。プロセッサ３０８、例えばＣＰＵは、該複数のルーチン３１６を実行し、またメモリ３１２内の該データ／情報３１８を使用して、無線端末３００の動作を制御し複数のメソッドを実施する。ルーチン３１６は、第１信号回復モジュール３２０、チャネル推定生成モジュール３２２、第２信号回復モジュール３２４、および逆変換選択モジュール３２６を含む。このようないくつかの実施形態では、複数のルーチン３１６は、チャネル状態報告モジュール３２８を含む。
【００４９】
第１信号回復３２０モジュールは、情報を通信するために位置符号化およびＱＰＳＫ変調を使用して、例えば比較的高電力の信号等の受信された第１信号を復号する。第１信号回復モジュール３２０は、位置復号モジュール３３０とＱＰＳＫ復号モジュール３３２とを含む。位置復号モジュール３３０は、第１信号を送信するために使用された複数の時間周波数資源の該セット内における該第１信号の複数の高電力変調シンボルの位置を識別し、該第１信号の当該識別された複数の高電力変調シンボルの位置により伝達された情報を回復する。ＱＰＳＫ復号モジュール３３２は、該第１信号の複数の高電力ＱＰＳＫ変調シンボルにより伝達された情報を回復する。
【００５０】
第１信号回復モジュール３２０は、前記受信された第１信号を処理するために第１逆変換を使用し、前記受信された追加の第１信号を処理するために第２逆変換を使用し、前記第１と第２逆変換は異なる。
【００５１】
いくつかの実施形態では、第１信号回復モジュール３２０は、該受信された第１信号を復号するために該格納されたアンテナ組み合わせ情報３３２を使用する。様々な実施形態では、該第１信号の復号は第１チャネル推定を使用して実行され、チャネル推定生成モジュール３２２からの該生成されたチャネル推定は、例えば該第１チャネル推定が対応する同じチャネルの改善された推定等の、第２チャネル推定である。
【００５２】
チャネル推定生成モジュール３２２は、第１信号を使用してチャネル推定を生成する。いくつかの実施形態では、チャネル推定生成モジュール３２２は、チャネル推定を生成する際に前記第１信号に加えて前記追加の第１信号を使用する。
【００５３】
無線端末が複数の受信機を含むいくつかの実施形態では、チャネル推定モジュール３２２は、前記複数の受信機のそれぞれに関して複数の異なるチャネル推定を生成する。
【００５４】
いくつかの実施形態では、チャネル推定生成モジュール３２２は、前記第１信号に対応する独立したチャネル推定と前記第１の追加信号に対応する独立したチャネル推定とを生成する。
【００５５】
第２信号回復モジュール３２４は、該チャネル推定生成モジュール３２２から得られた該生成されたチャネル推定を使用して、例えば第１信号に重ね合わせられた低電力信号等の、第２信号に対して復号動作を実行する。
【００５６】
逆変換選択モジュール３２６は、例えばダウンリンクセグメントまたはダウンリンクセグメントの部分に対応する等の、複数のエアリンク資源のセットに対応する第１信号回復モジュール３２０により使用される逆変換を選択する。例示すると、例えば、セグメント１等の複数のエアリンク資源の第１セットに対応して、無線端末は逆変換１  ３５０を使用することを選択する。何故ならそれは、受信された第１信号に対応した出力信号を生成する際に該基地局が変換１  ３３６を使用していることを、該無線端末が認識しているからである。例を続けて説明すると、例えばセグメント２等の複数のエアリンク資源の第２セットに対応して、該無線端末は、逆変換Ｎ  ３５２を使用することを選択する。しこれは、受信された第１信号に対応した出力信号を生成する際に、基地局が変換Ｎ  ３３８を使用していることを該無線端末が認識しているからである。
【００５７】
チャネル状態報告モジュール３２８は、送信アンテナ３０５により送信機モジュール３０６を介して基地局に送信される、例えば、チャネル推定ベクトル報告、雑音報告、ＳＩＲ報告、ＳＮＲ報告等のチャネル状態フィードバック報告を生成する。基地局はチャネル状態報告情報を使用して、複数のユーザをスケジュールし、例えば、例えば高電力信号等の第１信号または例えば低電力信号等の第２信号のいずれを使用してユーザはデータ／情報を送られるべきかを判断する。
【００５８】
データ／情報３１８は、割り当て情報３３０、アンテナ組み合わせ情報３３２、変換情報３３４、決定されたチャネル推定情報(determined channel estimate information)３４０、第１信号からの回復されたデータ／情報３４２、第２信号からの回復されたデータ／情報３４４、逆変換情報３４８、およびタイミング／周波数構造情報３５４を含む。いくつかの実施形態では、データ／情報３１８は、チャネル状態報告情報３４６を含む。
【００５９】
割り当て情報３３０は、いくつかの実施形態では、無線端末３００に割り当てられた信号タイプおよび、または複数のエアリンク資源を識別する情報を含む。割り当て情報３３０は、例えばＷＴ  ３００がブロードキャスト受信機である一実施形態等の、いくつかの実施形態では、信号タイプ情報および／または複数のエアリンク資源の複数のセットに関連付けられたチャネルおよび、またはプログラムを識別する情報を含む。
【００６０】
格納されたアンテナ組み合わせ情報３３２は、無線端末３００に情報を送信するために使用された複数の異なるアンテナ組み合わせに関する情報を提供する。いくつかの実施形態では、第１信号回復モジュール３２０は、第１信号を復号するために該格納されたアンテナ組み合わせ情報３３２を使用する。
【００６１】
変換情報３３４は、変換情報（変換１情報３３６、・・・、変換Ｎ情報３３８）の複数のセットを含む。変換情報３３４は、複数の異なる送信機アンテナ組み合わせに関する複数の異なる変換を示す情報を含む。逆変換情報３４８は、逆変換情報（逆変換１情報３５０、・・・、逆変換１情報３５２）の複数のセットを含む。タイミング／周波数構造情報３５４は、複数のタイミング／周波数構造情報のセット（エアリンク資源セット１情報３５６、・・・、エアリンク資源セットＭ情報３５８）を含む。複数のエアリンク資源のセットは、例えば複数のＯＦＤＭトーンシンボルのセットである。ＯＦＤＭシンボルのセットは、例えばダウンリンクセグメントまたはダウンリンクセグメントの部分である。エアリンク資源のセットは、結合信号を通信する際に、基地局の複数の異なる送信アンテナ素子により同時に使用される。
【００６２】
決定されたチャネル推定情報３４０はチャネル推定生成モジュール３２２の出力であり、チャネル状態報告情報３４６はチャネル状態報告モジュール３２８の出力である。第１信号３４２からの回復されたデータ情報は第１信号回復モジュール３２０の出力であり、第２信号３４４からの回復されたデータ／情報は第２信号回復モジュール３２４の出力である。
【００６３】
図４は、様々な実施形態による、マルチプルアンテナを利用した例示的な重ね合わせシグナリングを示す図４００である。図４００は、上部図面４０２、下部図面４０４、および説明文(legend)４０６を含む。説明文４０６は、四角いグリッド ボックス(square grid box)４１４がエアリンク資源の基本単位、ＯＦＤＭトーンシンボルを表していることを示す。説明文４０６はまた、大きな円４１６は第１信号の非ヌルの成分を表し、第１信号は高電力信号であること、小さな円４１８は第２信号の成分を表し、第２信号は低電力信号であることも示している。
【００６４】
エアリンク時間／周波数資源４１２は、１６個のＯＦＤＭトーンシンボルを含んでいる。上部図面４０２は、アンテナ１  ４２０を介して送信される信号を表し、下部図面４０４は、アンテナ２  ４２２を介して送信される信号を表している。エアリンク資源４１２は、２つのアンテナ４２０と４２２に同様に対応している。横軸(horizontal axis)４１０は時間、例えばＯＦＤＭシンボル送信時間間隔インデックス(index)を表しており、縦軸(vertical axis)４０８は周波数、例えばトーン インデックスを表している。
【００６５】
高電力信号である第１信号は、高電力の非ヌルの成分といくつかのヌルの成分とを備える１つの信号であり、一部の(some)情報は高電力の非ヌルの成分の位置で符号化され、一部の情報は例えばＱＰＳＫ変調シンボル等の非ヌルの成分によって伝送されている変調シンボルの値で符号化される。
【００６６】
資源４１２内の高電力信号の非ヌルの成分の位置は、両方のアンテナについて意図的に同じになっている。この例においては、周波数インデックス＝３およびＯＦＤＭシンボル送信時間インデックス＝２であるトーンシンボルは、第１信号の高電力の非ヌルの成分をたまたま伝送する。アンテナ２  ４２２を使用して送信された高電力信号成分ＨＣ１４２４の値は、アンテナ１  ４２０を使用して送信された高電力信号成分Ｃ１の値の変換である。
【００６７】
第１信号は基準となることができ、またユーザ、例えばＳＮＲの不十分な(poor)遠方ユーザに情報を伝送するために使用されることができ、そして、ときどき使用される。第１ユーザは、高電力信号を抜き取り(pick off)、それを復号して該伝達された情報を回復することができる。
【００６８】
低電力信号である第２信号は、別のユーザ、例えばＳＮＲの高い近隣ユーザに向けられことができる。第２ユーザは、高電力信号を抜き取り、受信された高電力信号を処理し、高電力信号情報を使用してチャネル状態を推定し、及び／またはチャネル推定をさらに正確なものにすることができる。したがって、第２ユーザの観点からすると、第１信号の非ヌルの成分をパイロットとして使用することができる。推定されたチャネル状態は、受信された第２信号成分、例えばＱＡＭ２５６変調シンボル信号のようなＱＡＭ変調シンボル信号を処理し、伝達中の第２信号情報を回復する際に利用される。
【００６９】
図５は、様々な実施形態による、マルチプルアンテナを利用した例示的な信号変換およびシグナリングを示す図５００である。図５は、第１信号５０２、第１変換５０４、第１変換結果信号５０６、エアリンク資源グラフ５０８、第１アンテナ５１０、第２アンテナ５１２、および第３アンテナ５１４を含む。第１信号５０２は、４つの要素（Ｓ１，１  ５１６、Ｓ１，２  ５１８、Ｓ１，３  ５２０、Ｓ１，４  ５２２）を含む。第１変換５０４は、３つの要素（Ｈ１，１  ５２４、Ｈ１，２  ５２６、Ｈ１，３  ５２８）を含む。第１信号５０２と第１変換５０４との乗算の結果である第１変換結果信号５０６は１２の成分を含み、それらは４つの成分の３セット（５３０、５３２、５３４）にグループ化される。エアリンク資源グラフ５０８は、横軸５３６に時間を表示し、縦軸５３８に周波数を表示する。本実施例では、エアリンク資源の基本単位は、１つのＯＦＤＭシンボル送信時間間隔の持続期間(duration)に関して１つのトーンを表すトーンシンボルである。４つのトーンシンボル（ＴＳ１，１  ５４０、ＴＳ１，２  ５４２、ＴＳ１，３  ５４４、ＴＳ１，４  ５４６）の同じエアリンク資源は、該第１変換結果信号の複数の部分を送信するためにアンテナ（アンテナ１  ５１０、アンテナ２  ５１２、アンテナ３  ５１４）によって使用される。
【００７０】
ブロック５４８は、第１変換結果信号５０６の第１部分５３０が複数のＯＦＤＭトーンシンボル（５４０、５４２、５４４、５４６）を使用してアンテナ１  ５１０により送信されることを示している。ブロック５５０は、第１変換結果信号５０６の第２部分５３２が複数のＯＦＤＭトーンシンボル（５４０、５４２、５４４、５４６）を使用してアンテナ２  ５１２によって送信されることを示す。ブロック５５２は、第１変換結果信号５０６の第３部分５３４が複数のＯＦＤＭトーンシンボル（５４０、５４２、５４４、５４６）を使用してアンテナ３  ５１４により送信されることを示す。
【００７１】
次に、より詳細な例を記載する。第１信号は情報を伝達するために位置符号化を使用する信号であるとする。例えば、第１信号の第１要素のうちの１つは非ゼロであり、他の３要素はゼロであり、該非ゼロ要素の位置が情報を伝達する。ブロック５０２’は、このような例示的な第１信号を表す。例示的な第１変換５０４’は３つの要素を含み、それぞれが異なる量の位相偏移（ｅｊθ１、ｅｊθ２、ｅｊθ３）を表す。第１変換結果信号５０６’は、第１部分５３０’、第２部分５３２’、および第３部分５３４’を含む。
【００７２】
ブロック５４８’は、第１変換結果信号５０６’の第１部分５３０’がＯＦＤＭトーンシンボル（５４０、５４２、５４４、５４６）を使用してアンテナ１  ５１０によって送信されることを示している。ブロック５５０’は、第１変換結果信号５０６’の第２部分５３２’がＯＦＤＭトーンシンボル（５４０、５４２、５４４、５４６）を使用してアンテナ２  ５１２によって送信されることを示している。ブロック５５２’は、第１変換結果信号５０６’の第３部分５３４’がＯＦＤＭトーンシンボル（５４０、５４２、５４４、５４６）を使用してアンテナ３  ５１４によって送信されることを示している。
【００７３】
図６は、様々な実施形態による、マルチプルアンテナを利用した例示的な信号変換およびシグナリングを示す図６００である。図６は、第３信号６０２、第２変換６０４、第２変換結果信号６０６、エアリンク資源グラフ６０８、第１アンテナ５１０、第２アンテナ５１２、および第３アンテナ５１４を含む。第３信号６０２は、４つの要素（Ｓ３，１  ６１６、Ｓ３，２  ６１８、Ｓ３，３  ６２０、Ｓ３，４  ６２２）を含む。第２変換６０４は、３つの要素（Ｈ２，１  ６２４、Ｈ２，２  ６２６、Ｈ２，３  ６２８）を含む。第３信号６０２と第２変換６０４の乗算の結果である第２変換結果信号６０６は１２の成分を含み、それらは４つの成分の３セット（６３０、６３２、６３４）にグループ化される。エアリンク資源グラフ６０８は、横軸５３６に時間を表示し、縦軸５３８に周波数を表示する。この例では、複数のエアリンク資源の基本単位は、１つのＯＦＤＭシンボル送信時間間隔の持続期間に関して１つのトーンを表すトーンシンボルである。４つのトーンシンボル（ＴＳ２，１  ６４０、ＴＳ２，２  ６４２、ＴＳ２，３  ６４４、ＴＳ２，４  ６４６）の同じ複数のエアリンク資源は、第２変換結果信号の複数の部分を送信するためにアンテナ（アンテナ１  ５１０、アンテナ２  ５１２、アンテナ３  ５１４）によって使用される。
【００７４】
ブロック６４８は、第２変換結果信号６０６の第１部分６３０がＯＦＤＭトーンシンボル（６４０、６４２、６４４、６４６）を使用してアンテナ１  ５１０によって送信されることを示している。ブロック６５０は、第２変換結果信号６０６の第２部分６３２がＯＦＤＭトーンシンボル（６４０、６４２、６４４、６４６）を使用してアンテナ２  ５１２によって送信されることを示している。ブロック６５２は、第２変換結果信号６０６の第３部分６３４がＯＦＤＭトーンシンボル（６４０、６４２、６４４、６４６）を使用してアンテナ３  ５１４によって送信されることを示している。
【００７５】
次に、より詳細な例を記載する。第３信号は情報を伝達するために位置符号化を使用する信号であるとする。例えば、第１信号の第１要素のうちの１つは非ゼロであり、他の３要素はゼロであり、非ゼロ要素の位置が情報を伝達する。ブロック６０２’は、このような例示的な第３信号を表す。例示的な第２変換６０４’は３つの要素を含み、それぞれが異なる量の位相偏移（ｅｊθ４、ｅｊθ５、ｅｊθ６）を表す。第２変換結果信号６０６’は、第１部分６３０’、第２部分６３２’、および第３部分６３４’を含む。
【００７６】
ブロック６４８’は、第２変換結果信号６０６’の第１部分６３０’がＯＦＤＭトーンシンボル（６４０、６４２、６４４、６４６）を使用してアンテナ１  ５１０によって送信されることを示している。ブロック６５０’は、第２変換結果信号６０６’の第２部分６３２’がＯＦＤＭトーンシンボル（６４０、６４２、６４４、６４６）を使用してアンテナ２  ５１２によって送信されることを示している。ブロック６５２’は、第２変換結果信号６０６’の第３部分６３４’がＯＦＤＭトーンシンボル（６４０、６４２、６４４、６４６）を使用してアンテナ３  ５１４によって送信されることを示している。
【００７７】
図７は、様々な実施形態による、マルチプルアンテナを利用した例示的な重ね合わせシグナリングを示す。図７は、図６および図５に表された送信された複数の信号および複数のエアリンク資源の複合(composite)を示す。図７は、第１変換結果信号に重ね合わせられる例示的な第２信号の追加を含む。例示的な第２信号は、複数の成分（Ｓ２，１、Ｓ２，２、Ｓ２，３、Ｓ２，４、Ｓ２，５、Ｓ２，６、Ｓ２，７、Ｓ２，８、Ｓ２，９、Ｓ２，１０、Ｓ２，１１、Ｓ２，１２）を含む。図７は、第２変換結果信号に重ね合わせられる例示的な第４信号の追加も含む。例示的な第４信号は、複数の成分（Ｓ４，１、Ｓ４，２、Ｓ４，３、Ｓ４，４、Ｓ４，５、Ｓ４，６、Ｓ４，７、Ｓ４，８、Ｓ４，９、Ｓ４，１０、Ｓ４，１１、Ｓ４，１２）を含む。
【００７８】
第１変換結果信号は高電力信号であり、第２信号は低電力信号である。第２変換結果信号は高電力信号であり、第４信号は低電力信号である。
【００７９】
エアリンク資源グラフ７０２は、横軸５３６に時間を表示し、縦軸５３８に周波数を表示する。８つのトーンシンボル（ＴＳ１，１  ５４０、ＴＳ１，２  ５４２、ＴＳ１，３  ５４４、ＴＳ１，４  ５４６、ＴＳ２，１  ６４０、ＴＳ２，２  ６４２、ＴＳ２，３  ６４４、ＴＳ２，４  ６４６）の同じ複数のエアリンク資源は、信号を送信するためにアンテナ（アンテナ１  ５１０、アンテナ２  ５１２、アンテナ３  ５１４）によって使用される。列(column)７０４は、第２信号の成分（Ｓ２，１、Ｓ２，２、Ｓ２，３、Ｓ２，４）との、第１変換結果信号（０、０、ｅｊθ１Ｓ１、０）の一部分の重ね合わせをそれぞれ表すトーンシンボル（５４０、５４２、５４４、５４６）を使用して、第１ＯＦＤＭシンボル送信時間間隔中に、アンテナ１  ５１０によって送信される信号を示している。列７０６は、第４信号の成分（Ｓ４，１、Ｓ４，２、Ｓ４，３、Ｓ４，４）との、第２変換結果信号（０、ｅｊθ４Ｓ３、０、０）の一部分の重ね合わせをそれぞれ表すトーンシンボル（６４０、６４２、６４４、６４６）を使用して、第２ＯＦＤＭシンボル送信時間間隔中に、アンテナ１  ５１０によって送信される信号を示している。
【００８０】
列７０８は、第２信号の成分（Ｓ２，５、Ｓ２，６、Ｓ２，７、Ｓ２，８）との、第１変換結果信号（０、０、ｅｊθ２Ｓ１、０）の一部分の重ね合わせをそれぞれ表すトーンシンボル（５４０、５４２、５４４、５４６）を使用して、第１ＯＦＤＭシンボル送信時間間隔中に、アンテナ２  ５１２によって送信される信号を示している。列７１０は、第４信号の成分（Ｓ４，５、Ｓ４，６、Ｓ４，７、Ｓ４，８）との、第２変換結果信号（０、ｅｊθ５Ｓ３、０、０）の一部分の重ね合わせをそれぞれ表すトーンシンボル（６４０、６４２、６４４、６４６）を使用して、第２ＯＦＤＭシンボル送信時間間隔中に、アンテナ２  ５１２によって送信される信号を示している。
【００８１】
列７１２は、第２信号の成分（Ｓ２，９、Ｓ２，１０、Ｓ２，１１、Ｓ２，１２）との、第１変換結果信号（０、０、ｅｊθ３Ｓ１、０）の一部分の重ね合わせをそれぞれ表すトーンシンボル（５４０、５４２、５４４、５４６）を使用して、第１ＯＦＤＭシンボル送信時間間隔中に、アンテナ３  ５１４によって送信される信号を示している。列７１４は、第４信号の成分（Ｓ４，９、Ｓ４，１０、Ｓ４，１１、Ｓ４，１２）との、第２変換結果信号（０、ｅｊθ６Ｓ３、０、０）の一部分の重ね合わせをそれぞれ表すトーンシンボル（６４０、６４２、６４４、６４６）を使用して、第２ＯＦＤＭシンボル送信時間間隔中に、アンテナ３  ５１４によって送信される信号を示している。
【００８２】
３つのアンテナを使用した例示的な実施形態について図５、６、および７に示したが、様々な他の実施形態は、２つのアンテナまたは３つより多くのアンテナを含む。さらに、別の実施形態では、例えば第１変換結果信号を伝送するために使用されるトーンシンボルの数等の、資源の量は、４とは異なる所定の数であり、例えば２、８、１６である。
【００８３】
図８は、様々な実施形態による、マルチプルアンテナを利用した例示的な信号変換およびシグナリングを示す図８００である。図８は、第１信号８０２、第１変換８０４、第１変換結果信号８０６、エアリンク資源グラフ８０８、第１アンテナ８１０、第２アンテナ８１２、および第３アンテナ８１４を含む。第１信号８０２は、４つの要素（Ｓ１，１  ８１６、Ｓ１，２  ８１８、Ｓ１，３  ８２０、Ｓ１，４  ８２２）を含む。第１変換８０４は、３つの要素（Ｈ１，１  ８２４、Ｈ１，２  ８２６、Ｈ１，３  ８２８）を含む。第１信号８０２と第１変換８０４の乗算の結果である第１変換結果信号８０６は、４成分ずつ３セット（８３０、８３２、８３４）にグループ化された１２の成分を含む。エアリンク資源グラフ８０８は、横軸８３６に時間を表示し、縦軸８３８に周波数を表示する。本実施例では、エアリンク資源の基本単位は、１つのＯＦＤＭシンボル送信時間間隔の持続期間に関して１つのトーンを表すトーンシンボルである。４つのトーンシンボル（ＴＳ１，１  ８４０、ＴＳ２，１  ８４２、ＴＳ３，１  ８４４、ＴＳ４，１  ８４６）の同じエアリンク資源は、第１変換結果信号の複数の部分を送信するためにアンテナ（アンテナ１  ８１０、アンテナ２  ８１２、アンテナ３  ８１４）によって使用される。
【００８４】
ブロック８４８は、第１変換結果信号８０６の第１部分８３０がＯＦＤＭトーンシンボル（８４０、８４２、８４４、８４６）を使用してアンテナ１  ８１０によって送信されることを示している。ブロック８５０は、第１変換結果信号８０６の第２部分８３２がＯＦＤＭトーンシンボル（８４０、８４２、８４４、８４６）を使用してアンテナ２  ８１２によって送信されることを示している。ブロック８５２は、第１変換結果信号８０６の第３部分８３４がＯＦＤＭトーンシンボル（８４０、８４２、８４４、８４６）を使用してアンテナ３  ８１４によって送信されることを示している。
【００８５】
次に、より詳細な例を記載する。第１信号は情報を伝達するために位置符号化を使用する信号であるとする。例えば、第１信号の第１要素のうちの１つは非ゼロであり、他の３要素はゼロであり、非ゼロ要素の位置が情報を伝達する。ブロック８０２’は、このような例示的な第１信号を表す。例示的な第１変換８０４’は３つの要素を含み、それぞれが異なる量の位相偏移（ｅｊθ１、ｅｊθ２、ｅｊθ３）を表す。第１変換結果信号８０６’は、第１部分８３０’、第２部分８３２’、および第３部分８３４’を含む。
【００８６】
ブロック８４８’は、第１変換結果信号８０６’の第１部分８３０’がＯＦＤＭトーンシンボル（８４０、８４２、８４４、８４６）を使用してアンテナ１  ８１０によって送信されることを示している。ブロック８５０’は、第１変換結果信号８０６’の第２部分８３２’がＯＦＤＭトーンシンボル（８４０、８４２、８４４、８４６）を使用してアンテナ２  ８１２によって送信されることを示している。ブロック８５２’は、第１変換結果信号８０６’の第３部分８３４’がＯＦＤＭトーンシンボル（８４０、８４２、８４４、８４６）を使用してアンテナ３  ８１４によって送信されることを示している。
【００８７】
図９は、様々な実施形態による、マルチプルアンテナを利用した例示的な信号変換およびシグナリングを示す図９００である。図９は、第３信号９０２、第２変換９０４、第２変換結果信号９０６、エアリンク資源グラフ９０８、第１アンテナ８１０、第２アンテナ８１２、および第３アンテナ８１４を含む。第３信号９０２は、４つの要素（Ｓ３，１  ９１６、Ｓ３，２  ９１８、Ｓ３，３  ９２０、Ｓ３，４  ９２２）を含む。第２変換９０４は、３つの要素（Ｈ２，１  ９２４、Ｈ２，２  ９２６、Ｈ２，３  ９２８）を含む。第３信号９０２と第２変換９０４の乗算の結果である第２変換結果信号９０６は、４成分の３セット（９３０、９３２、９３４）にグループ化された１２の成分を含む。エアリンク資源グラフ９０８は、横軸８３６に時間を表示し、縦軸８３８に周波数を表示する。本実施例では、エアリンク資源の基本単位は、１つのＯＦＤＭシンボル送信時間間隔の持続期間に関して１つのトーンを表すトーンシンボルである。４つのトーンシンボル（ＴＳ２，１  ９４０、ＴＳ２，２  ９４２、ＴＳ２，３  ９４４、ＴＳ２，４  ９４６）の同じエアリンク資源は、第２変換結果信号の複数の部分を送信するためにアンテナ（アンテナ１  ８１０、アンテナ２  ８１２、アンテナ３  ８１４）によって使用される。
【００８８】
ブロック９４８は、第２変換結果信号９０６の第１部分９３０がＯＦＤＭトーンシンボル（９４０、９４２、９４４、９４６）を使用してアンテナ１  ８１０によって送信されることを示している。ブロック９５０は、第２変換結果信号９０６の第２部分９３２がＯＦＤＭトーンシンボル（９４０、９４２、９４４、９４６）を使用してアンテナ２  ８１２によって送信されることを示している。ブロック９５２は、第２変換結果信号９０６の第３部分９３４がＯＦＤＭトーンシンボル（９４０、９４２、９４４、９４６）を使用してアンテナ３  ８１４によって送信されることを示している。
【００８９】
次に、より詳細な例を記載する。第３信号は情報を伝達するために位置符号化を使用する信号であるとする。例えば、第１信号の第１要素のうちの１つは非ゼロであり、他の３要素はゼロであり、該非ゼロ要素の位置が情報を伝達する。ブロック９０２’は、このような例示的な第３信号を表す。例示的な第２変換９０４’は３つの要素を含み、それぞれが異なる量の位相偏移（ｅｊθ４、ｅｊθ５、ｅｊθ６）を表す。第２変換結果信号９０６’は、第１部分９３０’、第２部分９３２’、および第３部分９３４’を含む。
【００９０】
ブロック９４８’は、第１変換結果信号９０６’の第１部分９３０’がＯＦＤＭトーンシンボル（９４０、９４２、９４４、９４６）を使用してアンテナ１  ８１０によって送信されることを示している。ブロック９５０’は、第２変換結果信号９０６’の第２部分９３２’がＯＦＤＭトーンシンボル（９４０、９４２、９４４、９４６）を使用してアンテナ２  ８１２によって送信されることを示している。ブロック９５２’は、第２変換結果信号９０６’の第３部分９３４’がＯＦＤＭトーンシンボル（９４０、９４２、９４４、９４６）を使用してアンテナ３  ８１４によって送信されることを示している。
【００９１】
図１０は、マルチプルアンテナを利用した例示的な重ね合わせシグナリングを示す。図１０は、図９および図８に表された送信された複数の信号および複数のエアリンク資源の複合を示す。図１０は、第１変換結果信号に重ね合わせられる例示的な第２信号の追加を含む。例示的な第２信号は、複数の成分（Ｓ２，１、Ｓ２，２、Ｓ２，３、Ｓ２，４、Ｓ２，５、Ｓ２，６、Ｓ２，７、Ｓ２，８、Ｓ２，９、Ｓ２，１０、Ｓ２，１１、Ｓ２，１２）を含む。図１０は、第２変換結果信号に重ね合わせられる例示的な第４信号の追加も含む。例示的な第４信号は、複数の成分（Ｓ４，１、Ｓ４，２、Ｓ４，３、Ｓ４，４、Ｓ４，５、Ｓ４，６、Ｓ４，７、Ｓ４，８、Ｓ４，９、Ｓ４，１０、Ｓ４，１１、Ｓ４，１２）を含む。
【００９２】
第１変換結果信号は高電力信号であり、第２信号は低電力信号である。第２変換結果信号は高電力信号であり、第４信号は低電力信号である。
【００９３】
エアリンク資源グラフ１００２は、横軸８３６に時間を表示し、縦軸８３８に周波数を表示する。８つのトーンシンボル（ＴＳ１，１  ８４０、ＴＳ１，２  ８４２、ＴＳ１，３  ８４４、ＴＳ１，４  ８４６、ＴＳ２，１  ９４０、ＴＳ２，２  ９４２、ＴＳ２，３  ９４４、ＴＳ２，４  ９４６）の同じエアリンク資源は、信号を送信するためにアンテナ（アンテナ１  ８１０、アンテナ２  ８１２、アンテナ３  ８１４）によって使用される。行(row)１００４は、第２信号の成分（Ｓ２，１、Ｓ２，２、Ｓ２，３、Ｓ２，４）との、第１変換結果信号（０、０、ｅｊθ１Ｓ１、０）の一部分の重ね合わせをそれぞれ表すトーンシンボル（８４０、８４２、８４４、８４６）を用いて、４つの連続するＯＦＤＭシンボル送信時間間隔中にインデックス＝１のトーンを使用して、アンテナ１  ８１０によって送信される信号を示す。行１００６は、第４信号の成分（Ｓ４，１、Ｓ４，２、Ｓ４，３、Ｓ４，４）との、第２変換結果信号（０、ｅｊθ４Ｓ３、０、０）の一部分の重ね合わせをそれぞれ表すトーンシンボル（９４０、９４２、９４４、９４６）を用いて、４つの連続するＯＦＤＭシンボル送信時間間隔中にインデックス＝２のトーンを使用して、アンテナ１  ８１０によって送信される信号を示す。
【００９４】
行１００８は、第２信号の成分（Ｓ２，５、Ｓ２，６、Ｓ２，７、Ｓ２，８）との、第１変換結果信号（０、０、ｅｊθ２Ｓ１、０）の一部分の重ね合わせをそれぞれ表すトーンシンボル（８４０、８４２、８４４、８４６）を用いて、４つの連続するＯＦＤＭシンボル送信時間間隔中にインデックス＝１のトーンを使用してアンテナ２  ８１２によって送信される信号を示す。行１０１０は、第４信号の成分（Ｓ４，５、Ｓ４，６、Ｓ４，７、Ｓ４，８）との、第２変換結果信号（０、ｅｊθ５Ｓ３、０、０）の一部分の重ね合わせをそれぞれ表すトーンシンボル（９４０、９４２、９４４、９４６）を用いて、４つの連続するＯＦＤＭシンボル送信時間間隔中にインデックス＝２のトーンを使用してアンテナ２  ８１２によって送信される信号を示す。
【００９５】
行１０１２は、第２信号の成分（Ｓ２，９、Ｓ２，１０、Ｓ２，１１、Ｓ２，１２）との、第１変換結果信号（０、０、ｅｊθ３Ｓ１、０）の一部分の重ね合わせをそれぞれ表すトーンシンボル（８４０、８４２、８４４、８４６）を用いて、４つの連続するＯＦＤＭシンボル送信時間間隔中にインデックス＝１のトーンを使用してアンテナ３  ８１４によって送信される信号を示す。行１０１４は、第４信号の成分（Ｓ４，９、Ｓ４，１０、Ｓ４，１１、Ｓ４，１２）との、第２変換結果信号（０、ｅｊθ６Ｓ３、０、０）の一部分の重ね合わせをそれぞれ表すトーンシンボル（９４０、９４２、９４４、９４６）を用いて、４つの連続するＯＦＤＭシンボル送信時間間隔中にインデックス＝２のトーンを使用してアンテナ３  ８１４によって送信される信号を示す。
【００９６】
３つのアンテナを使用した例示の実施形態について図８、９、および１０に示したが、様々な他の実施形態は、２つのアンテナまたは３つより多くのアンテナを含む。さらに、別の実施形態では、資源の量、例えば第１変換結果信号を伝送するために使用されるトーンシンボルの数は４以外の所定の数であり、例えば２、８、１６である。
【００９７】
図１１は、様々な実施形態による、例えば基地局のようなアクセスノード等の装置を動作させる例示的な方法のフローチャート１１００である。動作はステップ１１０２で開始し、ここで該装置に電源が投入され(powered on)、初期化され、ステップ１１０４に進む。ステップ１１０４で、該装置は、所定の選択方法に従って第１所定変換を選択する。該選択された第１所定変換は、例えば複数の異なる変換のセット(a plurality of a set of different transforms)のうちの１つの変換である。様々な実施形態では、該選択された第１所定変換は線形であり、異なる複数の変換の該セットの少なくともいくつかは線形に独立している。次いでステップ１１０６では、該装置は、第１変換結果信号を生成するために第１信号に該第１所定変換を適用する。様々な実施形態では、該第１信号は、位置変調を使用して情報を通信する。様々な実施形態では、該選択された第１所定変換の選択は、該第１信号で通信される位置情報から独立している。ステップ１１０６はサブステップ１１０８を含み、このサブステップ１１０８において、該装置は複数の異なるアンテナに対応する複数の定数を前記第１信号に乗じ、ここで、複数の異なるアンテナに対応する前記複数の定数のうちの少なくとも２つは異なっている。動作はステップ１１０６からステップ１１１０に進む。
【００９８】
ステップ１１１０で、該装置は、複数の重ね合わせられた信号を送信する。ステップ１１１０は、サブステップ１１１２および１１１４を含む。サブステップ１１１２で、該装置は、複数の時間周波数送信資源の第１セットと複数のアンテナの所定の組み合わせを使用して、該第１変換結果信号を送信する。様々な実施形態では、該第１所定変換は、複数のアンテナの前記所定の組み合わせに含まれる少なくとも２つのアンテナのための異なる複数の出力を生成する。サブステップ１１１４で、該装置は、複数のアンテナの前記所定の組み合わせと前記複数の時間周波数送信資源の第１セットを使用して第２信号を送信し、前記第２信号は、該第１変換結果信号を送信するために使用される少なくとも１つのアンテナで前記第１変換結果信号より低い電力で送信される。様々な実施形態では、該第１信号で送信された非ヌルのシンボルと第２信号で送信されたシンボルとの送信電力差は、少なくとも３ｄＢである。動作はステップ１１１０からステップ１１１６に進む。
【００９９】
ステップ１１１６で、該装置は、所定の選択方法に従い第２所定変換を選択する。いくつかの実施形態では、第１と第２所定変換は線形に独立である。次いでステップ１１１８で、装置は、第２変換結果信号を生成するために第３信号に第２所定変換信号を適用する。ステップ１１１８はサブステップ１１２０を含む。サブステップ１１２０において、装置は、複数の異なるアンテナに対応する複数の定数を第３信号に乗じ、ここで、複数の異なるアンテナに対応する前記複数の定数のうちの少なくとも２つは異なっている。動作はステップ１１１８からステップ１１１２に進む。
【０１００】
ステップ１１２２で、装置は、複数の重ね合わせられた信号を送信する。ステップ１１２２は、サブステップ１１２４および１１２６を含む。サブステップ１１２４で、該装置は、複数の時間周波数送信資源の第２セットと複数のアンテナの前記所定の組み合わせを使用して前記第２変換結果信号を送信し、複数の時間周波数送信資源の前記第２セットは複数の時間周波数送信資源の前記第１セットとは異なる。いくつかの実施形態では、時間周波数送信資源の第１と第２セットは非重複(non-overlapping)である。サブステップ１１２６で、該装置は、複数のアンテナの前記所定の組み合わせと複数の時間周波数送信資源の前記第２セットを使用して第４信号を送信し、前記第４信号は、第２変換結果信号を送信するために使用される少なくとも１つのアンテナで前記第２変換結果信号より低い電力で送信される。
【０１０１】
いくつかの実施形態では、第１信号と第３信号によって通信された情報は第１ユーザに向けられ、第２信号と第４信号によって通信された情報は第２ユーザに向けられる。このようないくつかの実施形態では、第２ユーザは第１ユーザよりも、例えば高いＳＮＲ等の、良好なチャネル状態を有するユーザである。様々な実施形態では、該装置は、第１と第２ユーザをＳＮＲの関数として選択する。
【０１０２】
いくつかの実施形態では、第１信号と第３信号によって通信された情報は第１セットのユーザに向けられ、第２信号と第４信号によって通信された情報は第１セットのユーザのサブセットである第２セットのユーザに向けられる。このようないくつかの実施形態では、第２セットのユーザは、第２セットのメンバーでない第１セットのメンバーよりも、例えば、高いＳＮＲの等の、良好なチャネル状態を有するユーザである。
【０１０３】
いくつかの実施形態では、第１及び第２変換は、それぞれ第１及び第２シンボル送信期間に送信される、例えば、第１及び第２変換結果信号等の、信号を生成するために使用され、前記第２シンボル送信期間は前記第１シンボル送信期間の直ぐ後に続く。いくつかの実施形態では、前記第１と第２時間周波数資源は、ＯＦＤＭ通信システムの時間および周波数資源のセット、例えばＯＦＤＭトーンシンボルのセットである。
【０１０４】
図１２は、様々な実施形態による、無線端末を動作させる例示的な方法のフローチャート１２００である。動作はステップ１２０２で開始し、ここで無線端末に電源が投入されて初期化され、動作はステップ１２０４に進む。ステップ１２０４で、無線端末は、時間および周波数資源の同じセットで第１と第２信号を受信する。このようないくつかの実施形態では、第１と第２信号は直交周波数分割多重（ＯＦＤＭ）信号である。様々な実施形態では、第１信号は位置変調を使用して情報を伝達する。いくつかのＯＦＤＭの実施形態では、時間および周波数資源のセットはＯＦＤＭトーンシンボルのセットである。このようないくつかの実施形態では、ＯＦＤＭトーンシンボルのセットは、同じＯＦＤＭシンボル送信時間間隔内にある。位置変調は、時間および周波数資源のセットにおけるエネルギーの配置(placement)を使用して情報を通信することを含む。例えば、第１信号はヌルと１つまたは複数の非ヌルのＱＰＳＫ変調シンボルの混合(mixture)を含み、時間および周波数資源の該セット、例えばＯＦＤＭトーンシンボルのセット等における１つまたは複数の非ヌルのＱＰＳＫ変調信号の配置が情報を伝達する。
【０１０５】
次いでステップ１２０６で、無線端末は第１信号を復号する。いくつかの実施形態では、第１信号の復号は、第１信号を送信するために使用されるアンテナ組み合わせセットのアプリオリ(a priori)知識を使用することを含む。このようないくつかの実施形態では、第１信号の復号は、第１信号を生成する際に使用された、アンテナ組み合わせに対応する変換のアプリオリ知識を使用することを含む。
【０１０６】
動作はステップ１２０６からステップ１２０８に進む。ステップ１２０８で、無線端末は、チャネル推定を生成するために第１信号を使用する、チャネル推定動作を実行する。いくつかの実施形態では、ステップ１２０６での第１信号の復号は、第１チャネル推定を使用して実行され、ステップ１２０８からの該生成されたチャネル推定は第２チャネル推定である。このようないくつかの実施形態では、第２チャネル推定は、第１チャネル推定が対応する改善された推定である。様々な実施形態では、無線端末は複数の受信機を含み、当該複数の受信機のそれぞれは別の受信アンテナに対応しており、方法は、当該複数の受信機のそれぞれに関して複数の異なるチャネル推定を生成することをさらに備える。
【０１０７】
動作はステップ１２０８からステップ１２１０に進み、そこで無線端末は、第２信号に関して復号動作を実行するために該生成されたチャネル推定を使用する。動作はステップ１２１０からステップ１２１２に進む。ステップ１２１２で、無線端末は、時間および周波数資源の追加セットで追加の第１信号を受信する。様々な実施形態では、追加の第１信号は、第１信号を生成するために使用される変換とは異なる変換を用いて基地局によって生成されている。いくつかの実施形態では、ステップ１２１２で、無線端末はまた、時間および周波数資源の追加セットで追加の第２信号を受信する。動作は、ステップ１２１２からステップ１２１４に進む。
【０１０８】
ステップ１２１４では、無線端末は追加の第１信号を復号し、次いでステップ１２１６では、無線端末は、チャネル推定を生成するために前記追加の第１信号を使用して別のチャネル推定動作を実行する。このようないくつかの実施形態では、無線端末は別のチャネル推定を生成する際に第１の復号された信号と追加の復号された信号とから導き出された(derived)両方の情報を使用する。
【０１０９】
いくつかの実施形態では、動作はステップ１２１６からステップ１２１８に進む。ステップ１２１８で、無線端末は、該追加の第２信号に関して復号動作を実行するために、該生成された別のチャネル推定を使用する。
【０１１０】
様々な実施形態では、ステップ１２０６で第１信号を復号するために、無線端末は、複数の格納された逆変換から第１逆変換を選択し、当該選択された第１逆変換を使用し、またステップ１２１４で追加の第１信号を復号するために、無線端末は、複数の格納された逆変換から第２逆変換を選択し、該選択された第２逆変換を使用し、ここにおいて、該第１逆変換と該第２逆変換とは異なる。例えば、第１逆変換は、該第１信号を生成するために基地局により使用される変換に対応し、第２逆変換は該追加の第１信号を生成するために基地局により使用される変換に対応する。該基地局と該無線端末は、時間および周波数資源の特定のセットのためにどの変換が該基地局により使用されるべきかを認識しており、したがって、該無線端末は該情報を回復するために適切な逆変換を適用することができる。
【０１１１】
無線ＯＦＤＭシステム用の標準ベースバンドモデルは、
【数１】
0005474771.tif 000002
【０１１２】
である。ここで、ω1，・・・，ωkはｋの搬送波周波数であり、ｈ（ωi ）は、搬送波ｉに関する複素チャネル利得であり、ｘ（ωi ）は、搬送波ｉで送信された複素信号であり、ｎ（ωi ）は、搬送波ｉに関する付加雑音(additive noise)である。上記のそれぞれは時間の関数でもある。固定時間のあいだの該送信された信号は、上記のように、ＯＦＤＭシンボルと称される。
【０１１３】
ＯＦＤＭは、広域ネットワークのようなマルチユーザ無線システムに関して使用される。この場合、１つの信号は、時間の１つのセグメントにわたって複数の搬送波のサブセットで、特定ユーザに関連付けられた、受信機に送られることができる。このようなシステムにおける干渉を緩和するためにホッピングがしばしば使用される。ホップされたシステムでは、信号を特定の受信機に伝送するために使用される搬送波のセットは、時間にわたって変化する。典型的に、特定ユーザへの送信のセグメントでは、使用される搬送波の数は該セグメント中に変化しない。ブロックホップされたシステムでは、１つの与えられたＯＦＤＭシンボルに関して１つの与えられたセグメントにおいて使用される複数の搬送波は、連続する(contiguous)複数のサブセットに分割される(partitioned)。さらに各サブセットは、１より多くのＯＦＤＭシンボルに関する信号により占有され、時間周波数平面において複数のシンボルのブロックまたは矩形(rectangle)を形成する。
【０１１４】
ブロックホップされたＯＦＤＭ方式では、優れた受信機に追加の擬似パイロット(pseudo-pilots)を提供するために、位置シグナリング(position signaling)による重ね合わせを使用することができる。優れた受信機がＭＩＭＯモードで送信されている場合、該擬似パイロットはチャネル行列(channel matrix)をサンプリングすべきである。
【０１１５】
一例を考える。２×２ＭＩＭＯシステムである。１つのブロックを、８×８とする。４×１の各サブブロックで、劣った受信機に向けられた、１つの比較的高電力のＱＰＳＫシンボルを送信する。Ｘは、当該ブロックによる(over)信号を表すとする。第１アンテナは、
【数２】
0005474771.tif 000003
【０１１６】
を送信する。ここで、
【数３】
0005474771.tif 000004
【０１１７】
は、点に関する(point-wise)複素乗算を表す。第２アンテナは、
【数４】
0005474771.tif 000005
【０１１８】
を送信する。関数
【数５】
0005474771.tif 000006
【０１１９】
は、送信機と受信機の両方で認識されることになる。便宜的、実際的な選択は、
【数６】
0005474771.tif 000007
【０１２０】
に関してＱＰＳＫシンボル｛１，１，ｊ，−ｊ｝を使用するものになる。これにより、送信機でのＨによる乗算と、受信機でのＨの局所的反転(local inversion)とが簡約化される。高電力ＱＰＳＫシンボルが、位置ｉ，ｊで送信され、チャネル関数がｈa,b である場合、受信機ｂ1と受信機ｂ2は、それぞれ、
【数７】
0005474771.tif 000008
【０１２１】
を見る。
【０１２２】
ここで、Ｘが、優れた受信機により成功裏に復号されたと仮定し、
【数８】
0005474771.tif 000009
【０１２３】
とする。該優れた受信機は、ｈ（ｉ，ｊ）Ｈ（ｉ，ｊ）の推定(estimate)を有することは明らかである。通常、ｈ（ｉ，ｊ）は、該チャネルの局所的コヒーレンスにより、ｉおよびｊにおいて円滑(smooth)となる。関数Ｈは円滑である必要はない。これを使用することにより、ｈに関する複数の局所的推定(local estimates)を形成することができる。  
例えば、ｉ’，ｊ’はｉ，ｊに近いとすると、ｈ（ｉ，ｊ）＝ｈ（ｉ’，ｊ’）と仮定することができる。これにより、
ｈ（ｉ，ｊ）［Ｈ（ｉ，ｊ）Ｈ（ｉ’，ｊ’）］
が得られる。該行列［Ｈ（ｉ，ｊ）Ｈ（ｉ’，ｊ’）］が逆転可能(invertible)であり、設計によってそのように行われるものである場合、右辺でこの逆元(inverse)を乗じて、ｈ（ｉ，ｊ）＝ｈ（ｉ’，ｊ’）を回復する(recover)ことができる。実際には、受信機の雑音および他の複数の歪みの存在において該複数の値ｈ（ｉ，ｊ）Ｈ（ｉ，ｊ）が観察される。これらの値は、ｈの推定を形成するために使用される。該推定ｈを形成するために多くの異なる技術を使用することができる。２つの例は、円滑を仮定として、パラメトリックモデルフィッティング(parametric model fitting)（例えば、ｈはｉ，ｊにおいてアフィン(affine)であると仮定する）、および最小２乗(squares)フィッティングである。
【０１２４】
ブロック全体にわたるｈの推定は、優れた受信機に関しては利用可能となり、劣ったユーザの信号が０に設定された複数のシンボルを復調するために使用することができる。優れた受信機の信号は、該２つのアンテナとは異なることができる。この場合、ＭＩＭＯ容量は優れた受信機に利用可能となる。
【０１２５】
基本概念は、２より多くの送信アンテナに一般化されることができる。
【０１２６】
位置ブロックにおいて一定であるようにＨを選択することが都合がよい。このようにすると、局所的反転は固定され、予め計算されることができる。これにはまた、ある与えられた位置ブロックにおける劣ったユーザにより見られるチャネルは一定であり、それにより位置情報の該検出を改善する、という利点もある。高電力で劣った受信機の複数のシンボルの小断片(small fraction)は、アプリオリに認識される。これにより、ｈの初期推定が可能になる。すべてのｈが推定される必要があるという点で、劣ったユーザは小規模なヒットを得る。
【０１２７】
次に、劣った受信機に関連する問題を説明する。劣った受信機について、低ＳＮＲでは、両方のアンテナにより同じデータを送信すれる。２×２チャネル行列がｈである場合、アンテナ１で受信された信号（雑音を除く）は、
【数９】
0005474771.tif 000010
【０１２８】
である。該受信機は、
【数１０】
0005474771.tif 000011
【０１２９】
の知識を使用して、
【数１１】
0005474771.tif 000012
【０１３０】
と表された、ｈの推定を形成してこれらを結合し、該結合されたチャネル推定
【数１２】
0005474771.tif 000013
【０１３１】
を形成する。
【数１３】
0005474771.tif 000014
【０１３２】
を計算することにより回転解除(derotation)が実行される。
【０１３３】
次に、代替パイロットの場合を説明する。通信システムは、通常の非ＭＩＭＯ送信に関しては専用パイロットを有することができる。この場合、複数の受信機は、ある固定Ｖに関するｈＶの推定を独立的に有する。一例は、パイロットが両方の送信アンテナから等しく送信されることを意味するＶ＝［１，１］である。両方の受信機がＭＩＭＯを使用していなければ、この場合は
【数１４】
0005474771.tif 000015
【０１３４】
を定める必要がある。劣った受信機の信号は、チャネル推定を改善するために依然として使用されることができる。
【０１３５】
優れた信号がＭＩＭＯの場合、特に埋め込まれたパイロットに関して、Ｖに直交する成分をより良好に測定するために
【数１５】
0005474771.tif 000016
【０１３６】
を選択することが好ましいことがある。あるいは、主として（例えば、大部分の場所(locations)で）
【数１６】
0005474771.tif 000017
【０１３７】
を選択することができ、該劣った信号の復号は追加パイロットなしで始まることができる。直交空間内の信号は、依然として位置情報を含むことができるが、位相情報は弱くなる。それは単に消去されることができ、あるいはアプリオリに認識されることができる。
【０１３８】
次に、優れた受信機に関する問題を説明する。優れた受信機は、劣った受信機よりもチャネル設定が良好であると想定する。したがって、優れた受信機は、劣った受信機の信号を高い信頼性により復号することができる。Ｘが一度知られると、優れた受信機は、それを使用してｈの推定を形成する。
【数１７】
0005474771.tif 000018
【０１３９】
が線形に独立しているとき、該受信機は、チャネル行列全体の推定ｈを形成することができる。優れたユーザの信号がＭＩＭＯ符号化されていない場合、
【数１８】
0005474771.tif 000019
【０１４０】
は線形に独立していることができる。しかしながら、それらを独立したままにしておくと、ｈの複数の要素の種々の組み合わせが使用されるので、ダイバーシティ利得が依然として提供される場合がある。直交チャネル成分を推定する必要があるため、その代償は、該劣ったユーザには、容量の損失となる。
【０１４１】
様々な実施形態では、２またはそれより多くの受信機への１つの送信は、２またはそれより多くのアンテナを使用する。
【０１４２】
様々な実施形態では、劣ったユーザへの情報は両方のアンテナで同じであるが、しかし送信機と受信機の両方に知られる回転を受ける。
【０１４３】
いくつかのブロックＯＦＤＭ方式では、該劣った受信機への複数のシンボルは、高電力を有する。このようないくつかの実施形態では、それらの信号の位置で情報が伝達される。
【０１４４】
様々な実施形態では、残っているシンボルは優れたユーザへの送信に使用される。異なる情報は該２つのアンテナから送信されることができ、または時々送信される。
【０１４５】
以上、ＯＦＤＭシステムに関連して説明してきたが、様々な実施形態の複数の方法および複数の装置は、多くの非ＯＦＤＭおよび／または非セルラシステムを含む広範囲の通信システムに適用可能である。
【０１４６】
様々な実施形態において、本明細書に記載されたノードは、１つまたはそれより多くの方法に対応する複数のステップ、例えば位置符号化変調を使用する信号の生成、使用する変換の選択、選択された変換の実施、複数の信号の重ね合わせ、ユーザチャネル状態の関数としてのスケジューリングなど、を実行するために１つまたはそれより多くのモジュールを使用して実施された。いくつかの実施形態では、様々な特徴がモジュールを使用して実施される。そのようなモジュールは、ソフトウェア、ハードウェア、またはソフトウェアとハードウェアとの組み合わせを使用して実施することができる。上記方法または方法ステップの多くは、例えば１つまたはそれより多くのノードで、上記方法のすべてまたは部分を実施するために、例えば追加のハードウェアを備えた、あるいは追加のハードウェアを備えていない汎用コンピュータ等の、機械を制御するために、例えば、フロッピー(登録商標)ディスク、ＲＡＭ等の、メモリデバイス等の、機械可読媒体に含まれるソフトウェアのような複数の機械実行可能な命令を使用して実施することができる。したがって、とりわけ、様々な実施形態は、機械、例えばプロセッサおよび関連付けられたハードウェアに、上記の（複数の）方法の１つまたはそれより多くのステップのうちの１つまたはそれより多くを実行させる複数の機械実行可能な命令を含む機械可読媒体に向けられている。
【０１４７】
上記方法および装置に関する多数の追加の変形形態は、上記説明を読むことにより当業者には明らかになろう。このような変形形態は、本願発明の技術的範囲に含まれるものである。様々な実施形態の方法および装置は、様々な実施形態では、ＣＤＭＡ、直交周波数分割多重（ＯＦＤＭ）、および／またはアクセスノードとモバイルノードとの間の無線通信リンクを提供するために使用されることができる様々な他のタイプの通信技術により使用される。いくつかの実施形態では、アクセスノードは、ＯＦＤＭおよび／またはＣＤＭＡを使用してモバイルノードとの通信リンクを確立する(establish)基地局として実施される。様々な実施形態では、モバイルノードは、様々な実施形態の方法を実施するために、ノートブック・コンピュータ、携帯用情報端末（ＰＤＡｓ）、または受信機／送信機回路およびロジックおよび／または複数のルーチンを含む他の複数の携帯(portable)デバイスとして実施される。
以下に、出願当初の特許請求の範囲に記載された発明を付記する。
［Ｃ１］
下記を備える方法：
第１変換結果信号を生成するために、第１所定変換を第１信号に適用すること、
前記第１変換結果信号を、複数の時間および周波数送信資源の第１セットと複数のアンテナの所定の組み合わせを使用して送信すること、および
第２信号を、複数のアンテナの前記所定の組み合わせと複数の時間および周波数送信資源の前記第１セットを使用して送信すること、前記第２信号は、該第１変換結果信号を送信する際に使用された少なくとも１つのアンテナで前記第１変換結果信号より低い電力で送信される。
［Ｃ２］
前記第１所定変換は、複数のアンテナの前記所定の組み合わせに含まれる少なくとも２つの異なるアンテナのための異なる出力を生成する、Ｃ１に記載の方法。
［Ｃ３］
前記第１変換結果信号は、複数の異なるアンテナに対応する複数の異なる部分を含む、Ｃ１に記載の方法。
［Ｃ４］
前記所定変換は、複数の異なる変換のセットの多数のうちの１つであり、前記方法は：
第１所定変換を前記適用することの前に、
所定の選択方法にしたがって前記第１所定変換を選択することをさらに備える、Ｃ１に記載の方法。
［Ｃ５］
前記第１所定変換を適用することは、複数の異なるアンテナに対応する複数の定数を前記第１信号に乗じることを含み、ここにおいて前記複数の異なるアンテナに対応する複数の定数のうちの少なくとも２つは異なる、Ｃ２に記載の方法。
［Ｃ６］
前記第１信号は位置変調を使用して情報を通信する、Ｃ１に記載の方法。
［Ｃ７］
第２変換結果信号を生成するために、第２所定変換を第３信号に適用すること、および
前記第２変換結果信号を、複数の時間および周波数送信資源の第２セットと複数のアンテナの前記所定の組み合わせを使用して送信すること、複数の時間および周波数送信資源の前記第２セットは、複数の時間および周波数送信資源の前記第１セットと異なる、をさらに備える、Ｃ１に記載の方法。
［Ｃ８］
前記第２変換結果信号は、異なるアンテナ素子に対応する複数の異なる部分を含む、Ｃ７に記載の方法。
［Ｃ９］
前記第１および第２所定変換は線形に独立している、Ｃ７に記載の方法。
［Ｃ１０］
複数の時間および周波数送信資源の前記第２セット上で第４信号を送信すること、をさらに備える、Ｃ９に記載の方法。
［Ｃ１１］
前記第１および第３信号によって通信される情報は、第１ユーザに向けられ、
前記第２および第４信号によって通信される情報は、第２ユーザに向けられる、Ｃ１０に記載の方法。
［Ｃ１２］
前記第１および第３信号は、複数のユーザの第１セットに向けられ、
前記第２および第４信号は、複数のユーザの該第１セットのサブセットである複数のユーザの第２セットに向けられる、Ｃ１０に記載の方法。
［Ｃ１３］
複数のユーザの前記第２セットは、前記第２セットのメンバーではない前記第１セット中の該複数のユーザよりも良好なチャネル状態を有する、Ｃ１２に記載の方法。
［Ｃ１４］
前記第２信号中の複数の送信信号と前記第１変換結果信号中の複数の非ヌルの送信シンボルとの間の送信電力差は、少なくとも３ｄＢである、Ｃ１に記載の方法。
［Ｃ１５］
前記位置変調は、複数の時間および周波数送信資源の該第１セットで利用可能なシンボル送信単位の多くて半分で電力を送信することによって情報を通信する、Ｃ６に記載の方法。
［Ｃ１６］
前記第１所定変換は、複数の所定の定数の複素乗数値を使用した固定行列乗算である、Ｃ１に記載の方法。
［Ｃ１７］
複数の時間および周波数資源の前記第１および第２セットは非重複である、Ｃ７に記載の方法。
［Ｃ１８］
前記第１および第２変換は、それぞれ第１および第２シンボル送信時間期間に送信される第１および第２変換結果信号を生成するために使用され、前記第２シンボル送信時間期間は前記第１シンボル送信時間期間の直ぐ後に続く、Ｃ７に記載の方法。
［Ｃ１９］
複数の時間および周波数送信資源の前記第１及び第２セットのうちの該セットは、ＯＦＤＭ通信システムにおける複数の時間および周波数資源の複数のセットである、Ｃ１８に記載の方法。
［Ｃ２０］
下記を備える、複数のアンテナ素子を含むアクセスポイントで使用するための装置：
結合信号を生成するために使用される第１変換結果信号を生成するために、第１信号に第１所定変換を適用するための変換モジュール、
結合信号を生成するために前記第１変換結果信号を第２信号と結合するための重ね合わせモジュール、前記第２信号は前記第１信号より低い電力レベルである、および
複数の時間および周波数送信資源の１つのセットで異なるアンテナ素子を使用して前記結合信号の複数の異なる部分の送信を制御するための送信制御モジュール。
［Ｃ２１］
前記低い電力レベルは、複数の非ヌルの信号部分に関する１つの送信単位電力レベルである、Ｃ２０に記載の装置。
［Ｃ２２］
前記変換モジュールは、前記複数のアンテナ素子に含まれる少なくとも２つの異なるアンテナ素子のための異なる出力を生成する、Ｃ２０に記載の装置。
［Ｃ２３］
前記第１送信結果信号は、異なるアンテナ素子に対応する複数の異なる部分を含む、Ｃ２０に記載の装置。
［Ｃ２４］
前記第１所定変換は、複数の異なる変換のセットの多数のうちの１つであり、前記基地局は：
複数の異なる変換を指定する格納された情報、および
前記複数の異なる変換から前記第１変換を選択するための選択モジュール、をさらに含む、Ｃ２０に記載の装置。
［Ｃ２５］
前記変換モジュールは、異なるアンテナ素子に対応する定数を前記第１信号に乗じ、
前記異なるアンテナ素子に対応する複数の定数のうちの少なくとも２つは異なる、Ｃ２２に記載の装置。
［Ｃ２６］
下記を更に具備する、Ｃ２０に記載の装置、
高電力信号生成モジュール、ここにおいて前記高電力信号生成モジュールは下記を含む、
前記高電力信号を生成する際に使用される位置符号化モジュール、前記高電力信号は位置変調を使用して情報を通信する。
［Ｃ２７］
前記高電力信号生成モジュールは、
非ヌルの高電力ＱＰＳＫ信号を生成するためのＱＰＳＫモジュールをさらに含む、Ｃ２６に記載の装置。
［Ｃ２８］
前記高電力信号生成モジュールは前記第１信号を生成する、Ｃ２６に記載の装置。
［Ｃ２９］
前記変換モジュールは、
第２変換結果信号を生成するために、第２所定変換を第３信号に適用する、
ここにおいて、前記送信制御モジュールは、複数の時間および周波数送信資源の第２セットで異なるアンテナ素子を使用して前記第２変換結果の複数の異なる部分の送信を制御し、複数の時間および周波数資源の前記第２セットは複数の時間および周波数資源の前記セットとは異なる、Ｃ２０に記載の装置。
［Ｃ３０］
前記第２変換結果信号は、異なるアンテナ素子に対応する複数の異なる部分を含む、Ｃ２９に記載の装置。
［Ｃ３１］
前記第１および第２所定変換は線形に独立である、Ｃ２９に記載の装置。
［Ｃ３２］
前記変換制御モジュールはまた、複数の時間および周波数資源の前記第２セットを使用して第４信号の送信を制御する、Ｃ３１に記載の装置。
［Ｃ３３］
前記第１および第３信号によって通信された情報は第１ユーザに向けられる、ここにおいて、前記第２および第４信号によって通信された情報は第２ユーザに向けられる、Ｃ３２に記載の装置。
［Ｃ３４］
前記第１および第３信号は複数のユーザの第１セットに向けられる、ここにおいて、前記第２および第４信号は複数のユーザの該第１セットの１つのサブセットである複数のユーザの第２セットに向けられる、Ｃ３２に記載の装置。
［Ｃ３５］
複数のユーザの前記第２セットは、前記第２セットのメンバーでない前記第１セットの前記複数のユーザよりも良好なチャネル状態を有する、Ｃ３４に記載の装置。
［Ｃ３６］
複数の時間および周波数資源の前記セットと複数の時間および周波数資源の第２セットとは非重複である、Ｃ２９に記載の装置。
［Ｃ３７］
前記第１および第２変換は、それぞれ第１および第２シンボル送信時間期間に送信される第１および第２変換結果信号を生成するために使用され、前記第２シンボル送信時間期間は前記第１シンボル送信時間期間の直ぐ後に続く、Ｃ２９に記載の装置。
［Ｃ３８］
複数の時間および周波数送信資源の第１および第２セットのうちの前記セットは、直交周波数分割多重化（ＯＦＤＭ）の複数の時間および周波数資源の複数のセットであり、該基地局は、
前記送信制御モジュールに応答するＯＦＤＭ送信機をさらに含む、Ｃ３７に記載の装置。
［Ｃ３９］
ＯＦＤＭの複数の時間および周波数資源の複数のセットは、複数のＯＦＤＭトーン シンボルの複数のセットである、Ｃ３８に記載の装置。
［Ｃ４０］
下記を備える、電磁波を放射するための複数の手段を含むアクセスポイントで使用するための装置：
結合信号を生成するために使用される第１変換結果信号を生成するために第１所定変換を第１信号に適用するための、変換を実施するための手段、
結合信号を生成するために前記第１変換結果信号を第２信号と結合するための、複数の信号を重ね合わせるための手段、前記第２信号は前記第１信号より低い電力レベルを有する、および
複数の時間および周波数送信資源のセットで電磁波を放射するための異なる手段を使用して前記結合信号の複数の異なる部分の送信を制御するための、送信を制御するための手段。
［Ｃ４１］
前記低い電力レベルは、複数の非ヌルの信号部分に関する１つの送信単位当たりの電力レベルである、Ｃ４０に記載の装置。
［Ｃ４２］
変換を実施するための前記手段は、電磁波を放射するための前記複数の手段に含まれる電磁波を放射するための少なくとも２つの異なる手段のための複数の異なる出力を生成する、Ｃ４０に記載の装置。
［Ｃ４３］
前記第１変換結果信号は、電磁波を放射するための異なる手段に対応する複数の異なる部分を含む、Ｃ４０に記載の装置。
［Ｃ４４］
前記第１所定変換は、複数の異なる変換のセットの多数のうちの１つであり、前記基地局は：
複数の異なる変換を指定する格納された情報、および
前記複数の異なる変換から前記第１変換を選択するための変換を選択するための手段、をさらに含む、Ｃ４０に記載の装置。
［Ｃ４５］
変換を実施するための前記手段は、電磁波を放射するための異なる手段に対応する複数の定数を前記第１信号に乗じる、ここにおいて、電磁波を放射するための異なる手段に対応する前記複数の定数のうちの少なくとも２つは異なる、Ｃ４２に記載の装置。
［Ｃ４６］
下記をさらに備える、Ｃ４０に記載の装置、
高電力信号を生成するための手段、ここにおいて、高電力信号を生成するための前記手段は、下記を含む、
前記高電力信号を生成する際に使用される位置符号化変調を実行するための手段、前記高電力信号は位置変調を使用して情報を通信する。
［Ｃ４７］
高電力信号を生成するための前記手段は、
非ヌルの高電力ＱＰＳＫ信号を生成するためにＱＰＳＫ変調シンボルを生成するための手段をさらに備える、Ｃ４６に記載の装置。
［Ｃ４８］
下記を備える方法を実施するように装置を制御するための機械実行可能な命令を含むコンピュータ可読媒体：
第１変換結果信号を生成するために第１所定変換を第１信号に適用すること、
複数の時間および周波数送信資源の第１セットと複数のアンテナの所定の組み合わせを使用して前記第１変換結果信号を送信すること、および
複数のアンテナの前記所定の組み合わせと複数の時間および周波数送信資源の前記第１セットを使用して第２信号を送信すること、前記第２信号は、前記第１変換結果信号を送信する際に使用された少なくとも１つのアンテナ上で前記第１変換結果信号より低い電力で送信される。
［Ｃ４９］
前記第１所定変換は、複数のアンテナの前記所定の組み合わせに含まれる少なくとも２つの異なるアンテナのための複数の異なる出力を生成する、Ｃ４８に記載のコンピュータ可読媒体。
［Ｃ５０］
前記第１変換結果信号は、複数の異なるアンテナに対応する複数の異なる部分を含む、Ｃ４８に記載のコンピュータ可読媒体。
［Ｃ５１］
前記所定変換は、複数の異なる変換のセットの多数のうちの１つであり、前記コンピュータ可読媒体は、下記を行うための複数の機械実行可能な命令をさらに含む、Ｃ４８に記載のコンピュータ可読媒体、
第１所定変換を適用する前記工程の前に、所定の選択方法にしたがって前記第１所定変換を選択すること。
［Ｃ５２］
下記を行うための複数の機械実行可能な命令をさらに含む、Ｃ４９に記載のコンピュータ可読媒体、
第１所定変換を適用する前記ステップの一部として複数の異なるアンテナに対応する複数の定数を前記第１信号に乗じること、ここにおいて前記複数の異なるアンテナに対応する前記複数の定数のうちの少なくとも２つは異なる。
［Ｃ５３］
前記第１信号は位置変調を使用して情報を通信する、Ｃ４８に記載のコンピュータ可読媒体。
［Ｃ５４］
下記を備える装置、
下記を行うように構成されたプロセッサ、
第１変換結果信号を生成するために第１所定変換を第１信号に適用すること、
複数の時間および周波数送信資源の第１セットと複数のアンテナの所定の組み合わせを使用して前記第１変換結果信号を送信すること、及び
複数のアンテナの前記所定の組み合わせと複数の時間および周波数送信資源の前記第１セットを使用して第２信号を送信すること、前記第２信号は前記第１変換結果信号を送信する際に使用された少なくとも１つのアンテナで前記第１変換結果信号より低い電力で送信される。
［Ｃ５５］
前記第１所定変換は、複数のアンテナの前記所定の組み合わせに含まれる少なくとも２つの異なるアンテナのための複数の異なる出力を生成する、Ｃ５４に記載の装置。
［Ｃ５６］
前記第１変換結果信号は、複数の異なるアンテナに対応する複数の異なる部分を含む、Ｃ５４に記載の装置。
［Ｃ５７］
前記所定変換は複数の異なる変換のセットの多数のうちの１つである、ここにおいて前記プロセッサは下記を行うようにさらに構成される、Ｃ５４に記載の装置、
第１所定変換を適用する前記ステップの前に、所定の選択方法にしたがって前記第１所定変換を選択すること。
［Ｃ５８］
前記プロセッサは下記を行うようにさらに構成される、Ｃ５５に記載の装置、
第１所定変換を適用する前記ステップの一部として複数の異なるアンテナに対応する複数の定数を前記第１信号に乗じること、ここにおいて前記複数の異なるアンテナに対応する前記複数の定数のうちの少なくとも２つは異なる。
［Ｃ５９］
前記第１信号は位置変調を使用して情報を通信する、Ｃ５４に記載の装置。
［Ｃ６０］
下記を備える、無線端末を動作させる方法：
複数の時間および周波数資源の同じセットで第１および第２信号を受信すること、
前記第１信号を復号すること、
チャネル推定を生成するために前記第１信号を使用してチャネル推定動作を実行すること、および
前記第２信号に関して復号動作を実行するために前記生成されたチャネル推定を使用すること。
［Ｃ６１］
前記第１信号は位置変調を使用して情報を伝達する、Ｃ６０に記載の方法。
［Ｃ６２］
下記をさらに備える、Ｃ６１に記載の方法、
複数の時間および周波数資源の追加のセット上で追加の第１信号を受信すること、及び
ここにおいて、チャネル推定動作を実行することは、前記チャネル推定を生成するために前記第１信号に加えて、前記追加の第１信号を使用することをさらに含む。
［Ｃ６３］
前記追加の第１信号は、前記第１信号を生成するために使用される変換とは異なる変換を使用して生成される、Ｃ６２に記載の方法。
［Ｃ６４］
前記第１信号の前記復号することは第１チャネル推定を使用して実行される、ここにおいて、前記生成されたチャネル推定は第２チャネル推定である、Ｃ６１に記載の方法。
［Ｃ６５］
前記第２チャネル推定は、前記第１チャネル推定が対応する同じチャネルの改善された推定である、Ｃ６４に記載の方法。
［Ｃ６６］
前記第１信号を復号することは、前記第１信号を送信するために使用されたアンテナ組み合わせセットのアプリオリ知識を使用することを含む、Ｃ６１に記載の方法。
［Ｃ６７］
前記第１信号を復号することは、前記第１信号を生成する際に使用された前記アンテナ組み合わせに対応する変換のアプリオリ知識を使用することをさらに含む、Ｃ６６に記載の方法。
［Ｃ６８］
前記無線端末は複数の受信機を含み、
前記複数の受信機のそれぞれに関して複数の異なるチャネル推定を生成することをさらに備える、Ｃ６６に記載の方法。
［Ｃ６９］
前記第１および第２信号は直交周波数分割多重化(OFDM)信号である、Ｃ６１に記載の方法。
［Ｃ７０］
前記位置変調は、複数の時間および周波数資源の前記セットにおけるエネルギーの配置を使用して情報を通信することを含む、Ｃ６１に記載の方法。
［Ｃ７１］
下記を備える無線端末、
複数の時間および周波数資源の同じセットで第１および第２信号を受信するための受信機、
前記第１信号を復号するための第１信号回復モジュール、
前記第１信号を使用してチャネル推定を生成するためのチャネル推定生成モジュール、および
前記第２信号に関して復号動作を実行するために前記生成されたチャネル推定を使用して前記第２信号に関して復号動作を実行するための第２信号回復モジュール。
［Ｃ７２］
前記第１信号回復モジュールは、複数の時間および周波数資源の前記セットにおける前記第１信号の高電力変調シンボルの位置を識別するための、および前記識別された高電力変調シンボルの位置により伝達された情報を回復するための位置復号モジュールを含む、Ｃ７１に記載の無線端末。
［Ｃ７３］
前記受信機モジュールは、時間および周波数資源の追加のセットで追加の第１信号を受信し、
ここにおいて、前記チャネル推定モジュールは前記チャネル推定を生成するために前記第１信号に加えて前記追加の第１信号を使用する、Ｃ７２に記載の無線端末。
［Ｃ７４］
前記第１回復モジュールは、前記第１受信信号を処理するために第１逆変換を使用し、前記第１追加受信信号を処理するために第２逆変換を使用し、前記第１および第２逆変換は異なる、Ｃ７３に記載の無線端末。
［Ｃ７５］
前記第１信号の前記復号することは第１チャネル推定を使用して実行され、ここにおいて、前記生成されたチャネル推定は第２チャネル推定である、Ｃ７２に記載の無線端末。
［Ｃ７６］
前記第２チャネル推定は、前記第１チャネル推定が対応する同じチャネルの改善された推定である、Ｃ７５に記載の無線端末。
［Ｃ７７］
下記をさらに具備する、Ｃ７２に記載の無線端末、
前記無線端末に情報を送信するために使用される複数の異なるアンテナ組み合わせに関する情報を提供する格納されたアンテナ組み合わせ情報、および
ここにおいて、前記第１信号を復号することは前記第１信号を復号するために前記格納されたアンテナ組み合わせ情報を使用することを含む。
［Ｃ７８］
下記をさらに具備する、Ｃ７７に記載の無線端末、
複数の異なる送信機アンテナ組み合わせのために使用される複数の異なる変換を示す格納された変換情報。
［Ｃ７９］
前記無線端末は複数の受信機を含み、前記受信機は前記複数の受信機のうちの１つである、
ここにおいて、前記チャネル推定モジュールは前記複数の受信機のそれぞれに関して複数の異なるチャネル推定を生成するＣ７７に記載の無線端末。
［Ｃ８０］
前記第１および第２信号は直交周波数分割多重化(OFDM)信号である、
ここにおいて、前記受信機はＯＦＤＭ受信機である
Ｃ７２に記載の無線端末。
［Ｃ８１］
下記を備える無線端末、
複数の時間および周波数資源の同じセットで第１および第２信号を受信するための受信機手段、
前記第１信号を復号するための第１タイプの信号を回復するための手段、
前記第１信号を使用してチャネル推定を生成するためのチャネル推定手段、および
前記第２信号に関して復号動作を実行するために前記生成されたチャネル推定を使用して前記第２信号に関して復号動作を実行するための第２タイプの信号を回復するための手段。
［Ｃ８２］
第１タイプの信号を回復するための前記手段は、複数の時間および周波数資源の前記セットにおける前記第１信号の高電力変調シンボルの位置を識別するための、および前記識別された高電力変調シンボルの位置によって伝達された情報を回復するための位置復号を実行するための手段を含む、Ｃ８１に記載の無線端末。
［Ｃ８３］
前記受信機手段は、複数の時間および周波数資源の追加のセット上で追加の第１信号を受信する、
ここにおいて、前記チャネル推定手段は、前記チャネル推定を生成するために前記第１信号に加えて前記追加の第１信号を使用する、Ｃ８２に記載の無線端末。
［Ｃ８４］
第１タイプの信号を回復するための前記手段は前記受信された第１信号を処理するために第１逆変換を使用し、前記受信された追加の第１信号を処理するために第２逆変換を使用し、前記第１および第２逆変換は異なる、Ｃ８３に記載の無線端末。
［Ｃ８５］
前記第１信号の前記復号することは第１チャネル推定を使用して実行される、ここにおいて、前記生成されたチャネル推定は第２チャネル推定である、Ｃ８２に記載の無線端末。
［Ｃ８６］
前記第２チャネル推定は、前記第１チャネル推定が対応する同じチャネルの改善された推定である、Ｃ８５に記載の無線端末。
［Ｃ８７］
下記をさらに備える、Ｃ８２に記載の無線端末、
前記無線端末に情報を送信するために使用される複数の異なるアンテナ組み合わせに関する情報を提供するアンテナ組み合わせ情報を格納するための格納手段、
ここにおいて、前記第１信号を復号することは、前記第１信号を復号するために前記格納されたアンテナ組み合わせ情報を使用することを含む。
［Ｃ８８］
前記格納手段は下記をさらに含む、Ｃ８７に記載の無線端末、
複数の異なる送信機アンテナ組み合わせのために使用される複数の異なる変換を示す格納された変換情報。
［Ｃ８９］
下記を備える方法を実施するように無線端末を制御するための機械実行可能な命令を含むコンピュータ可読媒体：
複数の時間および周波数資源の同じセットで第１および第２信号を受信すること、
前記第１信号を復号すること、
チャネル推定を生成するために前記第１信号を使用してチャネル推定動作を実行すること、および
前記第２信号に関して復号動作を実行するために前記生成されたチャネル推定を使用すること。
［Ｃ９０］
前記第１信号は位置変調を使用して情報を伝達する、Ｃ８９に記載のコンピュータ可読媒体。
［Ｃ９１］
下記を行うための複数の機械実行可能な命令をさらに含む、Ｃ９０に記載のコンピュータ可読媒体、
複数の時間および周波数資源の追加のセットで追加の第１信号を受信すること、及び
チャネル推定動作を実行する前記ステップの一部として前記チャネル推定を生成するために前記第１信号に加えて、前記追加の第１信号を使用すること。
［Ｃ９２］
前記追加の第１信号は、前記第１信号を生成するために使用される変換とは異なる変換を使用して生成される、Ｃ９１に記載のコンピュータ可読媒体。
［Ｃ９３］
下記を行うための複数の機械実行可能な命令をさらに含む、Ｃ９０に記載のコンピュータ可読媒体、
第１チャネル推定を使用して前記第１信号の前記復号することを実行すること、ここにおいて、前記生成されたチャネル推定は第２チャネル推定である。
［Ｃ９４］
前記第２チャネル推定は、前記第１チャネル推定が対応する同じチャネルの改善された推定である、Ｃ９３に記載のコンピュータ可読媒体。
［Ｃ９５］
下記を行うための複数の機械実行可能な命令をさらに含む、Ｃ９０に記載のコンピュータ可読媒体、
前記第１信号の前記復号することの一部として前記第１信号を送信するために使用されたアンテナ組み合わせセットのアプリオリ知識を使用すること。
［Ｃ９６］
下記を行うための複数の機械実行可能な命令をさらに含む、Ｃ９５に記載のコンピュータ可読媒体、
前記第１信号を復号する前記ステップの一部として、前記第１信号を生成する際に使用された前記アンテナ組み合わせに対応する変換のアプリオリ知識を使用すること。
［Ｃ９７］
下記を備える装置、
下記を行うように構成されたプロセッサ、
複数の時間および周波数資源の同じセットで第１および第２信号を受信すること、
前記第１信号を復号すること、
チャネル推定を生成するために前記第１信号を使用してチャネル推定動作を実行すること、及び
前記第２信号に関して復号動作を実行するために前記生成されたチャネル推定を使用すること。
［Ｃ９８］
前記第１信号は位置変調を使用して情報を伝達する、Ｃ９７に記載の装置。
［Ｃ９９］
前記プロセッサは下記を行うようにさらに構成される、Ｃ９８に記載の装置、
複数の時間および周波数資源の追加のセットで追加の第１信号を受信すること、及び
チャネル推定動作を実行する前記ステップの一部として前記チャネル推定を生成するために前記第１信号に加えて、前記追加の第１信号を使用すること。
［Ｃ１００］
前記追加の第１信号は、前記第１信号を生成するために使用される変換とは異なる変換を使用して生成される、Ｃ９９に記載の装置。
［Ｃ１０１］
前記プロセッサは下記を行うようにさらに構成される、Ｃ９８に記載の装置、
第１チャネル推定を使用して前記第１信号の前記復号することを実行すること、ここにおいて前記生成されたチャネル推定は第２チャネル推定である。
［Ｃ１０２］
前記第２チャネル推定は、前記第１チャネル推定が対応する同じチャネルの改善された推定である、Ｃ１０１に記載の装置。
［Ｃ１０３］
前記プロセッサは下記を行うようにさらに構成される、Ｃ９８に記載の装置、
前記第１信号の前記復号することの一部として前記第１信号を送信するために使用されたアンテナ組み合わせセットのアプリオリ知識を使用すること。
［Ｃ１０４］
前記プロセッサは下記を行うようにさらに構成される、Ｃ１０３に記載の装置、
前記第１信号を復号するステップの一部として、前記第１信号を生成する際に使用された前記アンテナ組み合わせに対応する変換のアプリオリ知識を使用すること。
【図１】
0005474771.tif 000020
【図２】
0005474771.tif 000021
【図３】
0005474771.tif 000022
【図４】
0005474771.tif 000023
【図５】
0005474771.tif 000024
【図６】
0005474771.tif 000025
【図７】
0005474771.tif 000026
【図８】
0005474771.tif 000027
【図９】
0005474771.tif 000028
【図１０】
0005474771.tif 000029
【図１１】
0005474771.tif 000030
【図１２】
0005474771.tif 000031
【図１３】
0005474771.tif 000032